(57)【要約】  ゴルフクラブヘッドは、ソールと反対側のクラウン、ヒール端と反対側のトウ端、後端及びホーゼルを有するクラブ本体を備えている。ゴルフクラブヘッドはまた、クラブ本体に配置されている調整可能な加重システムを備えており、その調整可能な加重システムは、単一のチャネルと、その単一のチャネルに受け入れられるとともにクラブ本体に固定される部材と、を有しており、複数のウェイトがその部材に結合する。ゴルフクラブヘッドは、追加的に、または、代替的に、ソールに配置されているフェース角調整システムを備えることができ、そのフェース角調整システムは、単一のチャネルに取り外し可能に受け入れられるとともにソースに固定される部材を有しており、その部材は、第１の端部部材と第２の端部部材を有するとともに、ゴルフクラブヘッドの静止フェース角を調整するためにチャネル内で再配置するように構成されている。【選択図】図４Ｂ
2019519324.tif 000002
【特許請求の範囲】
【請求項１】
ゴルフクラブヘッドであって、
ソールと反対側のクラウン、ヒール端と反対側のトウ端、後端及びホーゼルを有しており、チャネルが形成されているクラブ本体と、
調整可能な加重システムと、を備えており、
前記調整可能な加重システムは、
前記チャネルによって受け入れられるとともに前記クラブ本体に取り外し可能に結合するように構成されている部材であって、第１端部と第２端部を有する部材本体を有し、さらに、前記第１端部に配置されている第１の取り付け位置と、前記第１端部と前記第２端部の間に配置されている第２の取り付け位置と、前記第２端部に配置されている第３の取り付け位置と、を含む、部材と、
前記部材本体の前記第１の取り付け位置に取り外し可能に結合するように構成されており、第１質量を有する、第１のウェイトと、
前記部材本体の前記第２の取り付け位置に取り外し可能に結合するように構成されており、前記第１質量よりも小さい第２質量を有する、第２のウェイトと、
前記部材本体の前記第３の取り付け位置に取り外し可能に結合するように構成されており、前記第１質量よりも小さい第３質量を有する、第３のウェイトと、を有しており、
前記第１のウェイトと前記第２のウェイトと前記第３のウェイトは、前記クラブヘッドの重心を変化させるために、前記部材から取り外して再配置可能である、ゴルフクラブヘッド。
【請求項２】
前記第１のウェイトは、６グラムから２０グラムの間の質量を有しており、
前記第２のウェイトと前記第３のウェイトは、０．２５グラムから４グラムの間の質量を有している、請求項１に記載のゴルフクラブヘッド。
【請求項３】
前記クラブヘッドはさらに、１．６インチよりも大きいクラブヘッド重心深さを有する、請求項２に記載のゴルフクラブヘッド。
【請求項４】
前記クラブヘッドはさらに、０．０６０インチ／グラムよりも大きい、前記第１のウェイトの質量に対する前記クラブヘッドの重心深さである深さ対質量比を有する、請求項３に記載のゴルフクラブヘッド。
【請求項５】
前記チャネルは、０．１インチから０．５インチの間の高さを有する、請求項１に記載のゴルフクラブヘッド。
【請求項６】
前記チャネルの前記高さは、前記チャネルの断面積が変化するように、前記クラブヘッドの前記ヒール端の近くから前記クラブヘッドの前記トウ端の近くに向けて変化する、請求項５に記載のゴルフクラブヘッド。
【請求項７】
前記ウェイトのそれぞれは、前記クラブヘッドの周囲の０．５０インチ以内に配置されたウェイト重心を有する、請求項１に記載のゴルフクラブヘッド。
【請求項８】
前記第１のウェイトが第１の開口部を含み、前記部材本体の前記第１の取り付け位置が前記第１の開口部と整列した第２の開口部を含み、整列した前記第１の開口部と前記第２の開口部が第１の締結具を受け入れるように構成されており、
前記第２のウェイトが第３の開口部を含み、前記部材本体の前記第２の取り付け位置が前記第３の開口部と整列した第４の開口部を含み、整列した前記第３の開口部と前記第４の開口部が第２の締結具を受け入れるように構成されており、
前記第３のウェイトが第５の開口部を含み、前記部材本体の前記第３の取り付け位置が前記第５の開口部と整列した第６の開口部を含み、整列した前記第５の開口部と前記第６の開口部が第３の締結具を受け入れるように構成されている、請求項１に記載のゴルフクラブヘッド。
【請求項９】
前記チャネルが、第１の穴、第２の穴及び第３の穴を含み、
前記部材を前記クラブ本体に固定するために、前記第１の穴が前記第１の締結具を受け入れるように構成されており、前記第２の穴が前記第２の締結具を受け入れるように構成されており、前記第３の穴が前記第３の締結具を受け入れるように構成されており、
前記第１の締結具と前記第２の締結具と前記第３の締結具は、前記クラブヘッド本体と同等または小さい密度を有する、請求項８に記載のゴルフクラブヘッド。
【請求項１０】
クラウンからソールへの慣性モーメントとヒールからトウへの慣性モーメントとの合計として定義される、前記クラブヘッドの重心周りの前記クラブヘッドの合成慣性モーメントが、８，０００ｇ・ｃｍ２より大きい、請求項２に記載のゴルフクラブヘッド。
【請求項１１】
前記第１のウェイトの質量に対する前記クラブヘッドの重心周りの前記クラブヘッドの合成慣性モーメントの比が、４００ｃｍ２よりも大きい、請求項１０に記載のゴルフクラブヘッド。
【請求項１２】
ゴルフクラブヘッドであって、
ソールと反対側のクラウン、ヒール端と反対側のトウ端、後端及びホーゼルを有しており、チャネルが形成されているクラブ本体と、
調整可能な加重システムと、を備えており、
前記調整可能な加重システムは、
前記チャネルによって受け入れられるとともに前記クラブ本体に取り外し可能に結合するように構成されている部材であって、第１端部と第２端部を有する部材本体を有する、部材と、
前記部材本体の前記第１端部に取り外し可能に結合するように構成されており、第１質量を有する、第１のウェイトと、
前記部材本体の前記第２端部に取り外し可能に結合するように構成されており、前記第１質量よりも小さい第２質量を有する、第２のウェイトと、を有しており、
前記第１のウェイトと前記第２のウェイトは、前記クラブヘッドの重心を変化させるために、前記部材から取り外して再配置可能である、ゴルフクラブヘッド。
【請求項１３】
前記第１のウェイトが第１の開口部を含み、前記本体の前記第１端部が前記第１の開口部と整列した第２の開口部を含み、整列した前記第１の開口部と前記第２の開口部が締結具を受け入れるように構成されている、請求項１２に記載のゴルフクラブヘッド。
【請求項１４】
前記チャネルが、前記部材を前記クラブ本体の前記チャネル内に固定するために、前記締結具を受け入れるように構成されている穴を含む、請求項１３に記載のゴルフクラブヘッド。
【請求項１５】
前記締結具が第１の締結具であり、
前記第２のウェイトが第３の開口部を含み、前記本体の前記第２端部が前記第３の開口部と整列した第４の開口部を含み、整列した前記第３の開口部と前記第４の開口部が第２の締結具を受け入れるように構成されている、請求項１３に記載のゴルフクラブヘッド。
【請求項１６】
前記チャネルが、第１の穴及び第２の穴を含み、
前記部材を前記クラブ本体に固定するために、前記第１の穴が前記第１の締結具を受け入れるように構成されており、前記第２の穴が前記第２の締結具を受け入れるように構成されている、請求項１５に記載のゴルフクラブヘッド。
【請求項１７】
ゴルフクラブヘッドであって、
ソールと反対側のクラウン、ヒール端と反対側のトウ端、後端及びホーゼルを有するクラブ本体と、
前記ソールに配置されているフェース角調整システムと、を備えており、
前記フェース角調整システムは、
単一のチャネルと、
前記チャネルによって取り外し可能に受け入れられている、部材と、を有しており、
前記部材は、第１の端部部材と第２の端部部材とを含む部材本体、を有しており、
前記部材は、前記ゴルフクラブヘッドの静止フェース角を調整するために前記チャネル内に再配置するように構成されている、ゴルフクラブヘッド。
【請求項１８】
前記部材は、本体を有しており、
前記第１の端部部材が、前記本体に結合するとともに前記本体に対して回転するように構成されており、
前記第２の端部部材が、前記本体に結合するとともに前記本体に対して回転するように構成されている、請求項１７に記載のゴルフクラブヘッド。
【請求項１９】
前記第１の端部部材と前記第２の端部部材は、第１の構成、第２の構成及び第３の構成の間で前記本体に対して回転するように構成されており、
前記第１の構成では、前記第１の端部部材が前記チャネルから延出し、前記第２の端部部材が前記チャネルから延出せず、
前記第２の構成では、前記第２の端部部材が前記チャネルから延出し、前記第１の端部部材が前記チャネルから延出せず、
前記第３の構成では、前記第１の端部部材と前記第２の端部部材が前記チャネルから延出しない、請求項１８に記載のゴルフクラブヘッド。
【請求項２０】
前記第の端部部材と前記第２の端部部材のそれぞれは、第１の側面と第２の側面を含み、前記第１の側面は前記第２の側面よりも長い、請求項１７に記載のゴルフクラブヘッド。
【発明の詳細な説明】
【技術分野】
【０００１】
本開示はゴルフクラブに関し、より詳細には、部材を受け入れる単一のポートを含むゴルフクラブヘッド用の調整可能な加重システムに関する。１つまたは複数のウェイトを部材の１つまたは複数の場所に取り付けることができる。
【０００２】
関連出願への相互参照
本出願は、２０１７年５月２３日に出願された米国特許仮出願第６２／５０９，８１７号、２０１７年５月４日に出願された米国特許仮出願第６２／５０１，４７４号、２０１７年１月２３日に出願された米国仮特許出願第６２／４４９，３３２号、および２０１６年６月２９日に出願された米国特許仮出願第６２／３５６，４１６号に対する優先権を主張する。これらの全ての内容は、その全体が組み込まれている。
【背景技術】
【０００３】
ゴルフクラブの様々な特性がゴルフクラブの性能に影響を及ぼし得る。例えば、ゴルフクラブヘッドの重心および慣性モーメントは、性能に影響を及ぼし得る特性である。
【０００４】
ゴルフクラブヘッドの重心および慣性モーメントは、ゴルフクラブヘッドの質量分布の関数である。特に、クラブヘッドの質量をクラブヘッドのソール部分により近い、クラブヘッドの打撃面により近い、および／またはクラブヘッドのトウ部分およびヒール部分により近いように分布させると、クラブヘッドの重心および／または慣性モーメントを変えることができる。クラブヘッドの慣性モーメントを変えることは、ゴルフクラブの許容度、ゴルフボールの飛行方向、および／またはゴルフボールの飛行角度を変えることができる。
【０００５】
現在のゴルフクラブヘッドにおける多くの加重システムは、クラブヘッドの慣性モーメントを減少させるとともに、クラブヘッドの重心を上方（クラウン方向）および前方（フェース方向）に移動させる、大きくて複雑な内部構造を必要とする。当技術分野では、慣性モーメントまたは重心位置に悪影響を与えることなく、ボールの飛行（軌道および／またはスピン）に影響を与えるために、クラブヘッドの重量および重心位置の調整可能性をユーザに提供するクラブヘッドが必要である。
【図面の簡単な説明】
【０００６】
【図１】本明細書に開示される調整可能な加重システムの１つ以上の実施形態を含むゴルフクラブヘッドの斜視図である。
【０００７】
【図２】図１のクラブヘッドの正面図であり、フェースプレートを示す。
【０００８】
【図３Ａ】図１のクラブヘッドの平面図（または、クラウン）である。
【０００９】
【図３Ｂ】図１のクラブヘッドの断面図であり、図３Ａの３Ｂ−３Ｂ線に沿った断面図である。
【００１０】
【図４Ａ】調整可能な加重システムの実施形態の斜視図であり、図１のクラブヘッドのソースに位置するチャネルと、チャネルに受け入れられた調整可能な加重システムと、を示している。
【００１１】
【図４Ｂ】クラブヘッドと図４Ａの調整可能な加重システムの分解斜視図であり、取り外されたウェイトを示している。
【００１２】
【図５】調整可能な加重システムの実施形態の拡大斜視図であり、図１のクラブヘッドのソースに位置するチャネルと、チャネルに受け入れられた調整可能な加重システムと、を示している。
【００１３】
【図６】図５のチャネルの斜視図であり、チャネルから取り外された調整可能な加重システムを示している。
【００１４】
【図７】調整可能な加重システムの他の実施形態の拡大斜視図であり、図１のクラブヘッドのソースに位置するチャネルと、チャネルから取り外された調整可能ウェイトを持つ部材と、を示している。
【００１５】
【図８】図７の調整可能な加重システムにおける部材と関連する調整可能ウェイトの斜視図であり、取り外された１つのウェイトを示している。
【００１６】
【図９】調整可能な加重システムの他の実施形態の拡大斜視図であり、図１のクラブヘッドのソースに位置するチャネルと、チャネルに受け入れられている調整可能ウェイトを持つ第１部材と、チャネルから取り外された調整可能ウェイトを持つ第２部材と、を示している。
【００１７】
【図１０】図９の調整可能な加重システムにおける部材と関連する調整可能ウェイトの斜視図である。
【００１８】
【図１１】加重システムの他の実施形態の拡大斜視図であり、図１のクラブヘッドのソースに位置するチャネルと、チャネルから取り外された調整可能ウェイトに連結する部材と、を示している。
【００１９】
【図１２】加重システムの他の実施形態の拡大斜視図であり、図１のクラブヘッドのソースに位置するチャネルと、チャネルから取り外された複数の調整可能ウェイトに連結する部材と、を示している。
【００２０】
【図１３】使用者に静止フェース角度の調整を提供するように構成されたフェース角調整システムの実施形態の斜視図である。
【００２１】
【図１４】加重システムの実施形態の斜視図であり、図１のクラブヘッドのソースに位置するチャネルと、チャネルに受け入れられた調整可能な加重システムと、を示している。
【００２２】
【図１５】図１４のチャネルの斜視図であり、チャネルから取り外された調整可能な加重システムと、部材から分離したウェイトと、を示している。
【００２３】
【図１６】加重システムの他の実施形態の斜視図であり、図１のクラブヘッドのソースに位置するチャネルと、チャネルに受け入れられた調整可能な加重システムと、を示している。
【００２４】
【図１７】図１６のチャネルの斜視図であり、チャネルから取り外された調整可能な加重システムと、部材から分離したウェイトと、を示している。
【００２５】
【図１８】加重システムの他の実施形態の斜視図であり、図１のクラブヘッドのソースに位置するチャネルと、チャネルに受け入れられた調整可能な加重システムと、を示している。
【００２６】
【図１９】図１８のチャネルの斜視図であり、チャネルから取り外された調整可能な加重システムと、部材から分離したウェイトと、を示している。
【００２７】
【図２０】加重システムの他の実施形態の斜視図であり、図１のクラブヘッドのソースに位置するチャネルと、チャネルに受け入れられた調整可能な加重システムと、を示している。
【００２８】
【図２１】図２０のチャネルの斜視図であり、チャネルから取り外された調整可能な加重システムと、部材から分離したウェイトと、を示している。
【００２９】
【図２２】加重システムの他の実施形態の斜視図であり、図１のクラブヘッドのソースに位置するチャネルと、チャネルに受け入れられた調整可能な加重システムと、を示している。
【００３０】
【図２３】加重システムの実施形態の斜視図であり、図１のクラブヘッドのソースに位置するチャネルと、チャネルに受け入れられた調整可能な加重システムと、を示している。
【００３１】
【図２４】図２３のチャネルの斜視図であり、チャネルから取り外された調整可能な加重システムと、部材から分離したウェイトと、を示している。
【００３２】
【図２５】加重システムの他の実施形態の斜視図であり、図１のクラブヘッドのソースに位置するチャネルと、分解された状態におけるチャネルから取り外された調整可能な加重システムと、を示している。
【００３３】
【図２６】加重システムの他の実施形態の斜視図であり、図１のクラブヘッドのソースに位置するチャネルと、チャネルに受け入れられた調整可能な加重システムと、を示している。
【００３４】
【図２７】加重システムの他の実施形態の斜視図であり、図１のクラブヘッドのソースに位置するチャネルと、チャネルに受け入れられた調整可能な加重システムと、を示している。
【００３５】
【図２８】加重システムの他の実施形態の斜視図であり、図１のクラブヘッドのソースに位置するチャネルと、チャネルに受け入れられた調整可能な加重システムと、を示している。
【００３６】
【図２９】加重システムの他の実施形態の斜視図であり、図１のクラブヘッドのソースに位置するチャネルと、チャネルに受け入れられた調整可能な加重システムと、を示している。
【００３７】
【図３０】調整可能な加重システムの部材またはインサートに対するウェイトの例示的な結合機構の斜視図である。
【００３８】
【図３１】調整可能な加重システムの部材またはインサートに対するウェイトの他の例示的な結合機構の斜視図である。
【００３９】
【図３２】調整可能な加重システムの部材またはインサートに対するウェイトの他の例示的な結合機構の斜視図である。
【００４０】
【図３３】調整可能な加重システムの部材またはインサートに対するウェイトの他の例示的な結合機構の斜視図である。
【発明を実施するための形態】
【００４１】
本明細書に記載されているのは、高い慣性モーメントならびに低いおよび後方のヘッド重心位置を維持しながら、ユーザがクラブヘッドの重心を調整できる多構成の調整可能な加重システムを有するゴルフクラブヘッドである。多くの実施形態では、クラブヘッドは、ソールと反対側のクラウン、ヒール端と反対側のトウ端、後端及びホーゼルを有しており、チャネルが形成されているクラブ本体を備えている。調整可能な加重システムは、前記チャネルによって受け入れられるとともに前記クラブ本体に固定される部材を有しており、その部材は、第１端部と第２端部を有する部材本体を有する。第１のウェイトが、前記部材本体の前記第１端部に結合するように構成されており、第２のウェイトが、前記部材本体の前記第２端部に結合するように構成されている。前記第１のウェイトと前記第２のウェイトは、前記クラブヘッドの重心を調整するために、再設置または再配置可能であり、これにより、ボールの飛行特性（すなわち、ボールのスピンまたは軌跡）が変化する。多くの実施形態では、調整可能な加重システムは、クラブヘッド本体の密度と同等または少ない密度を有する締結具を用いて前記チャネルに取り外し可能に結合することができる。
【００４２】
多くの実施形態では、本明細書に記載の調整可能な加重システムは、クラブヘッドの外部輪郭から突出するか、またはクラブヘッドの外部輪郭から最小限挿入される。さらに、多くの実施形態では、本明細書に記載の調整可能な加重システムは、クラブヘッドの周囲付近に配置されている。調整可能な重み付けシステムの位置決めは、周辺重量および低いおよび後部重量の位置決めを最大にし、これにより、偏心打撃に対する許容度のためのクラブヘッドの慣性モーメントを最大にし、クラブヘッドの重心を低くおよび後方に位置決めして打ち出し角度を増加しバックスピンを減らす。したがって、本明細書に記載のゴルフクラブヘッドは、最適な設計および性能特性（高い慣性モーメントならびに低くおよび後方の重心位置）を維持しながら、クラブヘッドの重心をユーザが調整してボールの飛行を調整することができる。
【００４３】
本明細書に記載されている多くの実施形態は、慣性モーメントおよびヘッド重心位置に悪影響を与えるような重要な内部構造を必要とせずに、溝部またはチャネル内に配置された調整可能な加重システムを含む。
【００４４】
本明細書に開示されるように、ゴルフクラブの「ロフト」または「ロフト角」という用語は、クラブフェースとシャフトの間に形成される角度を示しており、その角度は任意の適切なロフトおよびライ器具によって測定される。
【００４５】
本明細書に記載のゴルフクラブの「フェース角」という用語は、クラブフェースとゴルフボールとの間、より具体的にはクラブフェースとプレーヤーの意図するターゲットラインに沿ってゴルフボールから延びる仮想線との間に形成される角度を指す。本明細書に記載のゴルフクラブの「アドレス時のフェース角」または「静止フェース角」という用語は、アドレス時（すなわち、スイング前に）のクラブフェースとゴルフボールとの間に形成される角度、より具体的にはアドレス時のクラブフェースとプレーヤーの意図するターゲットラインに沿ってゴルフボールから延びる仮想線との間に形成される角度を指す。クラブフェースがゴルフボール／仮想線に対してスクエア（またはほぼ垂直）であるとき、フェース角は中立位置にあることを理解されたい。クラブヘッドがシャフトの周りを回転してトウ端部がボールから離れるとき、フェース角はオープン位置にある。クラブヘッドがシャフトの周りを回転してトウ端部がボールに向かって移動するとき、フェース角はクローズ位置にある。
【００４６】
もしあれば、本明細書および特許請求の範囲における用語「第１」、「第２」、「第３」、「第４」等は、類似要素を区別するために使用され、必ずしも特定の連続した順序または古い順を記述するためのものではない。そのように使用された用語は、本明細書に記載される実施形態が例えば、例示されているかまたは別様に本明細書に記載されているもの以外の順序で操作可能であるように、適切な状況において置き換え可能であると理解すべきである。さらに、用語「含む」および「有する」ならびにこれらの任意の活用形は、要素のリストを含むプロセス、方法、システム、物品、デバイス、もしくは装置が必ずしもそれらの要素に限定されていないが、明示的に列挙されていないか、またはかかるプロセス、方法、システム、物品、デバイス、もしくは装置に固有ではない他の要素を含んでもよいように、非排他的包含を網羅することが意図される。
【００４７】
もしあれば、本明細書および特許請求の範囲における用語「左」、「右」、「前」、「後」、「上」、「下」、「の上」、「の下」等は、説明目的で使用され、必ずしも永久的な相対位置を記述するためのものではない。そのように使用された用語は、本明細書に記載される製造装置、製造方法、および／または製造物品の実施形態が、例えば、例示されているかまたは別様に本明細書に記載されているもの以外の配向で操作可能であるように、適切な状況において置き換え可能であると理解すべきである。
【００４８】
用語「連結する（ｃｏｕｐｌｅ、ｃｏｕｐｌｅｓ）」、「連結された」、「連結している」等は、広く理解されるべきであり、２つまたはそれ以上の要素を機械的に、または別の方法で接続することを意味する。（機械的なまたは別の方法での）連結は、任意の長さの時間、例えば、永久的、または半永久的、またはほんの一瞬であってもよい。
【００４９】
他の特徴および態様は、以下の詳細な説明および添付図面を検討すれば明らかになろう。本開示のいずれかの実施形態を詳細に説明する前に、本開示は、その適用において、以下の説明に記載の、または図面に示される構成要素の細部もしくは構成および配置に限定されないことを理解されたい。本開示は、他の実施形態をサポートすることができ、かつ様々な方法で実施または実行することができる。特定の実施形態の記述は、本開示が、本開示の趣旨および範囲に含まれるすべての変更形態、均等な形態、および代替形態を含むことを制限するように意図するものではないことを理解されたい。さらに、本明細書で使用される表現法および専門用語は、説明のためのものであり、限定するものと見なすべきではないことを理解されたい。
【００５０】
論議および理解を容易にするために、また単に説明の目的で、以下の詳細な記述では、ゴルフクラブヘッド１０をウッド、より詳細にはドライバーとして説明する。本明細書で開示されるように、調整可能な加重システム５００、７００、８００、９００、１０００、１１００、１３００、１４００、１５００、１６００、１７００、１８００、１９００、２０００、２１００、２２００、２３００の１つまたは複数の実施形態を説明するために、ウッドが提供されることを理解されたい。開示されるシステム５００、７００、８００、９００、１０００、１１００、１３００、１４００、１５００、１６００、１７００、１８００、１９００、２０００、２１００、２２００、２３００は、１つまたは複数のウェイトがゴルフクラブヘッドに調整可能に配置され、及び／又は、アドレス時のフェース角が調整される、任意の望ましいウッド、ハイブリッド、アイアン、または他のゴルフクラブで使用することができる。例えば、クラブヘッド１０は、これだけに限らないが、ドライバー、フェアウェイウッド、ハイブリッド、１番アイアン、２番アイアン、３番アイアン、４番アイアン、５番アイアン、６番アイアン、７番アイアン、８番アイアン、９番アイアン、ピッチングウェッジ、ギャップウェッジ、ユーティリティウェッジ、サンドウェッジ、ロブウェッジ、および／またはパターを含むことができる。加えて、ゴルフクラブヘッド１０は、約３度から約６５度（３、３．５、４、４．５、５、５．５、６、６．５、７、７．５、８、８．５、９、９．５、１０、１０．５、１１、１１．５、１２、１２．５、１３、１３．５、１４、１４．５、１５、１５．５、１６、１６．５、１７、１７．５、１８、１８．５、１９、１９．５、２０、２０．５、２１、２１．５、２２、２２．５、２３、２３．５、２４、２４．５、２５、２５．５、２６、２６．５、２７、２７．５、２８、２８．５、２９、２９．５、３０、３０．５、３１、３１．５、３２、３２．５、３３、３３．５、３４、３４．５、３５、３５．５、３６、３６．５、３７、３７．５、３８、３８．５、３９、３９．５、４０、４０．５、４１、４１．５、４２、４２．５、４３、４３．５、４４、４４．５、４５、４５．５、４６、４６．５、４７、４７．５、４８、４８．５、４９、４９．５、５０、５０．５、５１、５１．５、５２、５２．５、５３、５３．５、５４、５４．５、５５、５５．５、５６、５６．５、５７、５７．５、５８、５８．５、５９、５９．５、６０、６０．５、６１．６１．５、６２、６２．５、６３、６３．５、６４、６４．５、および／または６５度に限らないが、これらを含む）の範囲とすることのできるロフトを有することができる。
【００５１】
Ａ．調整可能な加重システムを備えたゴルフクラブヘッド
ここで図面を参照する。図１〜図３は、本明細書に開示される調整可能な加重システム５００、７００、８００、９００、１０００、１１００、１３００、１４００、１５００、１６００、１７００、１８００、１９００、２０００、２１００、２２００、２３００の１つまたは複数の実施形態を組み込んだゴルフクラブヘッド１０の一実施形態を示す。本明細書に記載の調整可能な加重システムは、クラブヘッドの本体のチャネルまたは溝に取り外し可能に結合されたウェイト構造を含む。調節可能な加重システムのウェイト構造は、様々な構成で複数のウェイトを受け入れるように構成された部材を含む。調整可能な加重システムをクラブヘッドのチャネルから取り外すことができ、調整可能な加重システムがキャビティ内で再配置されるとクラブヘッドの重心が変化するように異なる質量を有する複数のウェイトが再配置または交換される。これにより、ボールの飛行特性（すなわちボールスピンまたは軌道）が変化する。
【００５２】
ゴルフクラブヘッド１０は、ヒールまたはヒール端２２の反対側のトウまたはトウ端１８を有するクラブ本体１４（または本体１４）を含む。本体１４はまた、ソールまたはボトム３０の反対側にクラウンまたはトップ２６を含む。本体１４は、打撃面３８（図１〜２に示す）を画定し、後端または後部または後または後部端４２（図１に示す）の反対側にあるフェースプレートまたは打撃プレートまたはクラブフェースまたは打撃フェース３４（図１〜２に示す）を担持する。ゴルフクラブヘッド１０はまた、ホーゼル５０の中心を通って延びるホーゼル軸５４（図２に示す）を有するホーゼル５０を含む。ホーゼル５０は、グリップ（図示せず）を担持するゴルフクラブシャフト（図示せず）を受け入れるように構成されている。
【００５３】
図３に示すように、ゴルフクラブヘッド１０は、クラウン２６とソール３０との間の移行領域を画定するレールまたはスカート７４を含む。レール７４は、一般にトウ端１８におけるフェースプレート３４の端部からヒール端２２におけるフェースプレート３４の端部までゴルフクラブヘッドの本体１４の周りを延びている。図示の実施形態では、レール７４は、概して湾曲しているかまたは弓形の形状である。
【００５４】
多くの実施形態では、ゴルフクラブヘッド１０は、ドライバータイプのクラブヘッドを含む。これらの実施形態では、クラブヘッド１００のロフト角は、約１６度未満、約１５度未満、約１４度未満、約１３度未満、約１２度未満、約１１度未満、または約１０度未満であり得る。さらに、これらの実施形態では、クラブヘッド１００の容積は、約４００ｃｃ超、約４２５ｃｃ超、約４５０ｃｃ超、約４７５ｃｃ超、約５００ｃｃ超、約５２５ｃｃ超、約５５０ｃｃ超、約５７５ｃｃ超、約６００ｃｃ超、約６２５ｃｃ超、約６５０ｃｃ超、約６７５ｃｃ超、または約７００ｃｃ超とすることができる。いくつかの実施形態において、クラブヘッドの容積は、約４００ｃｃ〜６００ｃｃ、約５００ｃｃ〜６００ｃｃ、約５００ｃｃ〜６５０ｃｃ、約５５０ｃｃ〜７００ｃｃ、約６００ｃｃ〜６５０ｃｃ、約６００ｃｃ〜７００ｃｃ、または約６００ｃｃ〜８００ｃｃであり得る。
【００５５】
いくつかの実施形態では、クラブヘッド１０は、フェアウェイウッドタイプのクラブヘッドを含むことができる。これらの実施形態では、クラブヘッド１００のロフト角は、約３５度未満、約３４度未満、約３３度未満、約３２度未満、約３１度未満、または約３０度未満であり得る。さらに、これらの実施形態では、クラブヘッド１００のロフト角は、約１２度超、約１３度超、約１４度超、約１５度超、約１６度超、約１７度超、約１８度超、約１９度超、または約２０度超であってもよい。さらに、これらの実施形態では、クラブヘッド１００の容積は、約４００ｃｃ未満、約３７５ｃｃ未満、約３５０ｃｃ未満、約３２５ｃｃ未満、約３００ｃｃ未満、約２７５ｃｃ未満、約２５０ｃｃ未満、約２２５ｃｃ未満、または約２００ｃｃ未満であり得る。例えば、クラブヘッドの容積は、約３００ｃｃ〜４００ｃｃ、約３２５ｃｃ〜４００ｃｃ、約３５０ｃｃ〜４００ｃｃ、約２５０ｃｃ〜４００ｃｃ、約２５０〜３５０ｃｃ、または約２７５〜３７５ｃｃであり得る。
【００５６】
いくつかの実施形態では、クラブヘッド１０は、ハイブリッド型クラブヘッドを含むことができる。これらの実施形態では、クラブヘッド１００のロフト角は、約４０度未満、約３９度未満、約３８度未満、約３７度未満、約３６度未満、約３５度未満、約３４度未満、約３３度未満、約３２度未満、約３１度未満、または約３０度未満であり得る。さらに、これらの実施形態では、クラブヘッド１００のロフト角は、約１６度超、約１７度超、約１８度超、約１９度超、約２０度超、約２１度超、約２２度超、約２３度超、約２４度超、または約２５度超であってもよい。さらに、これらの実施形態では、クラブヘッド１００の容積は、約２００ｃｃ未満、約１７５ｃｃ未満、約１５０ｃｃ未満、約１２５ｃｃ未満、約１００ｃｃ未満、または約７５ｃｃ未満であり得る。例えば、クラブヘッドの容積は、約１００ｃｃ〜１５０ｃｃ、約７５ｃｃ〜１５０ｃｃ、約１００ｃｃ〜１２５ｃｃ、または約７５ｃｃ〜１２５ｃｃであり得る。他の実施形態では、ゴルフクラブヘッド１００は、任意の種類のゴルフクラブヘッドを含むことができる。
【００５７】
フェースプレート３４には、複数の溝４６（図１〜図２に示す）が配置されている。クラブヘッド１０の打撃フェース３４は、幾何学的中心１４０を画定する。いくつかの実施形態では、幾何学的中心１４０は、打撃フェース周囲の幾何学的中心点、およびフェース高さの中点に配置することができる。同じまたは他の例では、幾何学的中心１４０は、打撃フェース上の溝の領域によって画定することができる設計された衝撃ゾーンに関する中心に置くこともできる。別のアプローチとして、打撃フェースの幾何学的中心は、米国ゴルフ協会（ＵＳＧＡ）のようなゴルフ統治体の定義に従って配置することができる。例えば、打撃フェース３４の幾何学的中心１４０は、ゴルフクラブヘッドの柔軟性を測定するためのＵＳＧＡの手順の第６．１項（USGA-TPX3004,Rev.1.0.0, May 1, 2008）（http://www.usga.org/equipment/testing/protocols/Procedure-For-Measuring-The-Flexibility-Of-A-Golf-Club-Head/）（「柔軟性の手順」）に従って決定され得る。
【００５８】
クラブヘッド１０は、打撃フェース３４の幾何学的中心１４０に接するロフト面１０１０２を画定する。クラブヘッド１０はさらに、打撃フェース３４の幾何学的中心１４０に位置する原点を有する座標系を画定する。座標系は、ｘ’軸１０１０６、ｙ’軸１０１０４、およびｚ’軸１０１０８を有する。ｘ’軸１０１０６は、打撃フェース３４の幾何学的中心１４０を通って、クラブヘッド１０のヒール２２からトウ１８までの方向に伸びている。ｙ’軸１０１０４は、打撃フェース３４の幾何学的中心１４０を通って、クラウン２６からクラブヘッド１０のソール３０への方向に、かつ、ｘ’軸１０１０６に垂直な方向に伸びている。ｚ’軸１０１０８は、打撃フェース３４の幾何学的中心１４０を通って、打撃面３４からクラブヘッド１００の後端部４２の方向に、ｘ’軸１０１０６およびｙ’軸１０１０４に対して垂直に伸びている。
【００５９】
座標系は、ｘ’軸１０１０６とｙ’軸１０１０４を通って延びるｘ’ｙ’平面１０１２４、ｘ’軸１０１０６とｚ’軸１０１０８を通って延びるｘ’ｚ’平面１０１２６、および、ｙ’軸１０１０４とｚ’軸１０１０８を通って延びるｙ’ｚ’平面１０１２８を画定する。ここで、ｘ’ｙ’平面１０１２４、ｘ’ｚ’平面１０１２６、およびｙ’ｚ’平面１０１２８はすべて相互に垂直であり、打撃フェース３４の幾何学的中心１４０に位置する座標系の原点で交差する。ｘ’ｙ’面１０１２４は、ホーゼル軸線５４と平行に延びており、ロフト面１０１０２からクラブヘッド１００のロフト角に対応する角度で配置されている。さらに、ｘ’軸１０１０６は、ｘ’ｙ’平面１０１２４に垂直な方向から見たときにホーゼル軸５４に対して６０度の角度で配置されている
【００６０】
これらまたは他の実施形態では、打撃フェース３４をｘ’ｙ’平面１０１２４に垂直な方向から見たときの正面図（図２）からクラブヘッド１０を見ることができる。さらに、これらまたは他の実施形態では、ヒール２２をｙ’ｚ’平面１０１２８に垂直な方向から見たときの側面図または側面断面図（図３Ｂ）からクラブヘッド１０を見ることができる。
【００６１】
ここで、図２、図３Ａ、および図３Ｂを参照すると、ゴルフクラブヘッド１０は、ｘ軸６２、ｙ軸６６、およびｚ軸７０を含む座標系の原点を画定する重心またはＣＧ５８を含む。ｙ軸６６（図２に示す）は、クラブヘッド１０の重心５８を通って、クラウンまたはトップ２６からソールまたはボトム３０まで伸びており、側面図から見たときにホーゼル軸５４と平行であり、正面図（図２）から見たときに、ホーゼル軸５４から３０度の角度で配置されている。ｘ軸６２（図３に示す）は、クラブヘッドの重心５８を通って、トウまたはトウ端１８からヒールまたはヒール端２２まで伸びており、正面から見たときにｙ軸６６に垂直であり、ｘ’ｙ’平面１０１２４に平行である。ｚ軸７０（図３に示す）は、クラブヘッド１０の重心５８を通って、クラブフェース３４から後端部４２まで伸びており、ｘ軸６２およびｙ軸６６に対して垂直である。ｘ軸６２は、ヘッドＣＧ５８を通って、トウまたはトウ端１８からヒールまたはヒール端２２まで伸びており、かつｘ’軸１０１０６と平行に伸びている。ｙ軸６６は、ヘッドＣＧ５８を通って、クラウンまたはトップ２６からソールまたはボトム３０まで伸びており、ｙ’軸１０１０４と平行に伸びている。ｚ軸７０は、ヘッドＣＧ５８を通って、クラブフェース３４から後端部４２まで伸びており、ｚ’軸１０１０８と平行である。
【００６２】
図３Ｂに示すように、クラブヘッド１００は、ヘッド深さ平面１０１２０とヘッド深さ軸１０１２２とをさらに含む。ヘッド深さ平面１０１２０は、打撃面３４の幾何学的中心１４０を通って、ロフト平面１０１０２に対して垂直に、クラブヘッド１０のヒール２２からトウ１８への方向に沿って延びている。ヘッド深さ軸１０１２２は、打撃面３４の幾何学的中心１４０を通って、ロフト面１０１０２に対して垂直に延びている。多くの実施形態では、ヘッドＣＧ５８は、ｘ’ｙ’平面１０１２４に垂直な方向に測定したときに、ｘ’ｙ’平面１０１２４からヘッドＣＧの深さ１０１３０に配置されている。いくつかの実施形態では、ヘッドＣＧ５８は、ロフト面１０１０２に垂直な方向で測定したときに、ロフト面１０１０２からヘッドＣＧの深さ１０１３０に配置することができる。ヘッドＣＧ５８はさらに、ヘッド深さ平面１０１２０に垂直な方向に測定したときに、ヘッド深さ平面１０１２０からヘッドＣＧの高さ１０１３２に位置する。さらに、ヘッドＣＧ高さ１０１３２は、ヘッド深さ平面１０１２０に垂直にクラウン２６またはソール３０に向かう方向へのヘッド深さ平面１０１２０からのヘッドＣＧ５８のオフセット距離として測定される。
【００６３】
本明細書の技術革新を説明するさらなるガイダンスのために、ｘ軸６２およびｚ軸７０は、図３Ａのアナログ時計上の数字と一致するように配置される。ｚ軸７０は１２時（クラブフェース３４を通って「１２」）と６時（バック４２を通って「６」）の間を延びており、ｘ軸６２は３時（トウ端１８を通る「３」）と９時（ヒール端２２を通る「９」）の間を延びている。
【００６４】
クラブヘッドの慣性モーメント、クラブヘッドの重心位置、およびクラブヘッドの重心調整可能性などの所望の性能特性を達成する上で、様々なゴルフクラブヘッドパラメータが重要である。クラブヘッドの慣性モーメントが高いと、偏心打撃に対するクラブヘッドの許容度を増加させる。クラブヘッドの重心が低くかつ後方に（すなわち、クラブヘッドのソールおよび後方に向かって）位置決めされると、慣性モーメントが有利に増大し、バックスピンが減少し、そしてインパクト時のゴルフボールの打ち出し角度を増大させる。クラブヘッドの重心の調整可能性は、ユーザによるクラブヘッドの所望の軌道調整を可能にする。これらの各パラメータは、ゴルフクラブの設計において、所望のまたは最適な性能特性を達成するために重要である。しかしながら、多くの現在の重心調整機構が（１）クラブヘッドの慣性モーメントを低下させる、および／または（２）クラブヘッドの重心を上方および前部にシフトさせるので、内部および／またはかさばったウェイト構造、および／または不適当なウェイト構造の位置決めにより、ゴルフクラブヘッドにこれらのパラメータすべてを含めることに設計上の課題が存在する。
【００６５】
以下に記載されるゴルフクラブヘッドの実施形態は、クラブヘッドの慣性モーメントの大幅な減少、クラブヘッドの低く後方の重心位置を維持または防止しながら調整可能な加重システムを含んでいる。例えば、以下の多くの実施形態は、調節可能な重み付けがないクラブヘッドと同様に、ボールの飛行および／または軌道のユーザ調整可能性を提供しながら、高いクラブヘッドの慣性モーメントならびに低いおよび後方のクラブヘッドの重心位置を維持するための、薄型の調節可能な加重システムおよび／または最適位置調節可能な加重システムを説明する。クラブヘッドＣＧ周りの高いクラブヘッド慣性モーメントを維持することは、偏心打撃に対する許容度の増大をもたらし、そしてホーゼル軸周りの高いクラブヘッドモーメントを維持することは、スイング中の回転安定性の増大をもたらす。さらに、クラブヘッドの低く後方の重心位置を維持することは、ヘッドＣＧ周りのクラブヘッドの慣性モーメントを有利に増大させ、バックスピンを減少させる。
【００６６】
本明細書に記載のクラブヘッド１０は、ｘ軸周りの慣性モーメントＩｘｘ（すなわち、クラウン−ソール慣性モーメント）、ｙ軸周りの慣性モーメントＩｙｙ（すなわち、ヒール−トウ慣性モーメント）と、ホーゼル軸周りの慣性モーメントＩｈｈと、を含む。
【００６７】
本明細書に記載の調整可能な加重システムを含むクラブヘッドは、３１００ｇ・ｃｍ２超、３２００ｇ・ｃｍ２超、３３００ｇ・ｃｍ２超、３４００ｇ・ｃｍ２超、３５００ｇ・ｃｍ２超、３６００ｇ・ｃｍ２超、３７００ｇ・ｃｍ２超、３８００ｇ・ｃｍ２超、３９００ｇ・ｃｍ２超、４０００ｇ・ｃｍ２超、４１００ｇ・ｃｍ２超、４２００ｇ・ｃｍ２超、４３００ｇ・ｃｍ２超、４４００ｇ・ｃｍ２超、または４５００ｇ・ｃｍ２超のｘ軸周りの慣性モーメントＩｘｘを有することができる。いくつかの実施形態では、本明細書に記載の調整可能な加重システムを備えるクラブヘッドは、３１００〜４０００ｇ・ｃｍ２の間、３１００〜３８００ｇ・ｃｍ２の間、３２００〜４０００ｇ・ｃｍ２の間、３２００〜４０００ｇ・ｃｍ２の間、３３００〜４０００ｇ・ｃｍ２の間、３４００〜４０００ｇ・ｃｍ２の間、または３５００〜４０００ｇ・ｃｍ２の間のｘ軸周りの慣性モーメントＩｘｘを有する。
【００６８】
さらに、本明細書に記載の調整可能な加重システムを備えるクラブヘッドは、４７００ｇ・ｃｍ２超、４８００ｇ・ｃｍ２超、４９００ｇ・ｃｍ２超、５０００ｇ・ｃｍ２超、５１００ｇ・ｃｍ２超、５２００ｇ・ｃｍ２超、５３００ｇ・ｃｍ２超、５４００ｇ・ｃｍ２超、５５００ｇ・ｃｍ２超、５６００ｇ・ｃｍ２超、５７００ｇ・ｃｍ２超、５８００ｇ・ｃｍ２超、５９００ｇ・ｃｍ２超、または６０００ｇ・ｃｍ２超のｙ軸周りの慣性モーメントＩｙｙを有することができる。いくつかの実施形態では、本明細書に記載の調整可能な加重システムを含むクラブヘッドは、４８００〜６０００ｇ・ｃｍ２の間、４９００〜６０００ｇ・ｃｍ２の間、５０００〜６０００ｇ・ｃｍ２の間、５１００〜６０００ｇ・ｃｍ２の間、５２００〜６０００ｇ・ｃｍ２の間、５３００〜６０００ｇ・ｃｍ２の間、または５４００〜６０００ｇ・ｃｍ２の間のｙ軸回りの慣性モーメントＩｙｙを有する。
【００６９】
さらにまた、本明細書に記載の調整可能な加重システムを備えるクラブヘッドは、８５００ｇ・ｃｍ２超、８７５０ｇ・ｃｍ２超、９０００ｇ・ｃｍ２超、９０５０ｇ・ｃｍ２超、または１００００ｇ・ｃｍ２超のホーゼル軸周りの慣性モーメントＩｈｈを有することができる。いくつかの実施形態では、本明細書に記載の調整可能な加重システムを含むクラブヘッドは、または９０００〜１００００ｇ・ｃｍ２の間のホーゼル軸周りの慣性モーメントを有する。
【００７０】
以下の関係１（Relation 1）を参照すると、調整可能な加重システムを有するクラブヘッドの多くの実施形態は、ｘ軸周りの慣性モーメントとｙ軸周りの慣性モーメントの和として定義されるヘッドＣＧ周りの合成慣性モーメント（ＭＯＩＣＧ）を含む。
【数１】
2019519324.tif 000003
【００７１】
ヘッド重心周りの合成慣性モーメントＭＯＩＣＧは、７６００ｇ・ｃｍ２超、７７００ｇ・ｃｍ２超、７８００ｇ・ｃｍ２超、７９００ｇ・ｃｍ２超、８０００ｇ・ｃｍ２超、８１００ｇ・ｃｍ２超、８２００ｇ・ｃｍ２超、８３００ｇ・ｃｍ２超、８４００ｇ・ｃｍ２超、８５００ｇ・ｃｍ２超、８６００ｇ・ｃｍ２超、８７００ｇ・ｃｍ２超、８８００ｇ・ｃｍ２超、８９００ｇ・ｃｍ２超、９０００ｇ・ｃｍ２超、９１００ｇ・ｃｍ２超、９２００ｇ・ｃｍ２超、または９３００ｇ・ｃｍ２超とすることができる。例えば、ヘッド重心周りの合成慣性モーメントＭＯＩＣＧは、７７００〜９５００ｇ・ｃｍ２の間、７８００〜９５００ｇ・ｃｍ２の間、７９００〜９５００ｇ・ｃｍ２の間、８０００〜９５００ｇ・ｃｍ２の間、８１００〜９５００ｇ・ｃｍ２の間、８２００〜９５００ｇ・ｃｍ２の間、または８３００〜９５００ｇ・ｃｍ２の間とすることができる。
【００７２】
以下の関係２（Relation 2）を参照すると、調整可能な加重システムを有するクラブヘッドの多くの実施形態は、ｘ軸周りの慣性モーメントとｙ軸周りの慣性モーメントとホーゼル軸周りの慣性モーメントの合計として定義される、ヘッドＣＧとホーゼル周りの合成慣性モーメント（ＭＯＩＣＧ−Ｈ）を含む。
【数２】
2019519324.tif 000004
【００７３】
ヘッドＣＧとホーゼル周りの合成慣性モーメントＭＯＩＣＧ−Ｈは、１４８００ｇ・ｃｍ２超、１４９００ｇ・ｃｍ２超、１５０００ｇ・ｃｍ２超、１５１００ｇ・ｃｍ２超、１５２００ｇ・ｃｍ２超、１５３００ｇ・ｃｍ２超、１５４００ｇ・ｃｍ２超、１５５００ｇ・ｃｍ２超、１５６００ｇ・ｃｍ２超、１５７００ｇ・ｃｍ２超、１５８００ｇ・ｃｍ２超、１５９００ｇ・ｃｍ２超、１６０００ｇ・ｃｍ２超、１６２００ｇ・ｃｍ２超、１６４００ｇ・ｃｍ２超、１６６００ｇ・ｃｍ２超、１６８００ｇ・ｃｍ２超、１７０００ｇ・ｃｍ２超、１７２００ｇ・ｃｍ２超、１７４００ｇ・ｃｍ２超、１７６００ｇ・ｃｍ２超、１７８００ｇ・ｃｍ２超、１８０００ｇ・ｃｍ２超、１８４００ｇ・ｃｍ２超、１８８００ｇ・ｃｍ２超、１９０００ｇ・ｃｍ２超、１９２００ｇ・ｃｍ２超、または１９４００ｇ・ｃｍ２超とすることができる。例えば、ヘッドＣＧとホーゼル周りの合成慣性モーメントＭＯＩＣＧ−Ｈは、１５０００〜１９５００ｇ・ｃｍ２の間、１５０００〜１９０００ｇ・ｃｍ２の間、１５０００〜１８０００ｇ・ｃｍ２の間、１６０００〜１９５００ｇ・ｃｍ２の間、１６０００〜１９０００ｇ・ｃｍ２の間、または１６０００〜１８０００ｇ・ｃｍ２の間とすることができる。これらの実施形態では、４２５〜４５０立方センチメートル（ｃｃ）の間の容積を有する調整可能な加重システムを備えたクラブヘッドについては、ヘッドＣＧとホーゼル周りの合成慣性モーメントＭＯＩＣＧ−Ｈを１５０００ｇ・ｃｍ２超とすることができ、４５０〜５００立方センチメートル（ｃｃ）の間の容積を有する調整可能な加重システムを有するクラブヘッドについては、ヘッドＣＧとホーゼル周りの合成慣性モーメントＭＯＩＣＧ−Ｈを１７０００ｇ・ｃｍ２超とすることができる。
【００７４】
本明細書に記載の調整可能な加重システムを含むクラブヘッドは、１．６インチ超、１．６５インチ超、１．７インチ超、１．７５インチ超、１．８インチ超、１．８５インチ超、１．９超、１．９５インチ超、または２．０インチ超のヘッドＣＧ深さ１０１３０を有することができる。例えば、調整可能な加重システムを有するクラブヘッドは、１．６１〜２．０インチの間、１．６５〜２．０インチの間、１．７〜２．０インチの間、１．８〜２．０インチの間、１．６１〜３．０インチの間、１．６５〜３．０インチの間、１．７〜３．０インチの間、１．８〜３．０インチの間、１．９〜３．０インチの間、または２．０〜３．０インチの間のヘッドＣＧ深さ１０１３０を有することができる。
【００７５】
さらに、本明細書に記載の調整可能な加重システムを備えるクラブヘッドは、ヘッド深さ平面１０１２０の下に位置する（すなわち、ヘッド深さ平面１０１２０とクラブヘッドのソール３０との間に位置する）ヘッドＣＧ高さ１０１３２を有することができる。さらに、本明細書に記載の調整可能な加重システムを含むクラブヘッドは、ヘッド深さ平面１０１２０からクラウン２６に向かって又はクラブヘッドのソール３０に向かって、０．２５インチ以内、０．２０インチ以内、０．１５インチ以内、０．１０インチ以内、０．０９インチ以内、０．０８インチ以内、０．０７インチ以内、０．０６以内、０．０５インチ以内、又は０．０４インチ以内に位置するヘッドＣＧ高さ１０１３２を有することができる。
【００７６】
多くの実施形態において、そして上記のように、クラブヘッド１０の調節可能な加重システムは、１つ以上のウェイトを複数の構成で受け入れることができるインサートまたは部材を含み、１つのウェイトは残りの重りの少なくとも１つより大きい質量を有する。部材は、ウェイトを受け入れるための複数の取り付け配置または位置を含む。さらに、部材は、ヘッドＣＧ位置を調整するために、様々な構成で配置されたウェイトを用いて、クラブヘッドのチャネルまたは溝内に取り外し可能に配置可能である。例えば、クラブヘッドのＣＧ位置を調整するために、調整可能な加重システムをチャネルまたは溝部から取り外し、そしてウェイトを交換または再配置する（すなわち、重いウェイトを異なる取り付け位置に移動させる）ことができる。これにより、調整可能な加重システムがクラブヘッドのチャネルまたは溝内に再配置されると、クラブヘッドの重心は変化する。本明細書に記載の調整可能な加重システムを使用してヘッドＣＧ位置を調整することは、高いクラブヘッド慣性モーメントを維持しながら、インパクト時のクラブヘッドのボール軌道および／またはスピン特性に影響を及ぼすことができる。
【００７７】
多くの実施形態では、クラブヘッドのチャネルは、前後方向におけるチャネルの両側の間の距離として定義される幅Ｗ、およびソールとチャンネルの底面との間の距離として定義される高さＨを含む。チャネルの幅Ｗおよび高さＨは、ヒールの近くからトウの近くまでチャネルの長さに沿って一定であり得るか、または、チャネルの幅Ｗおよび高さＨは、チャネルの断面積が変化するように、ヒールからトウまでのチャネルの長さに沿って変わり得る。多くの実施形態では、チャネルの高さＨは、０．０５インチから０．４インチの間、０．０５インチから０．５インチの間、０．０５インチから０．６インチの間、０．１インチから０．４の間、０．１インチから０．５の間、または０．１インチから０．６インチの間の範囲であり得る。多くの実施形態では、溝の幅Ｗは、０．０５インチから１．２５インチの間、０．０５インチから１．０インチの間、０．０５インチから０．７５インチの間、０．２５インチから１．２５インチの間、０．２５インチから１．０インチの間、または０．２５インチと０．７５インチの間とすることができる。
【００７８】
多くの実施形態では、調整可能な加重システムは、２つ以上のウェイトを受け取ることができる。多くの実施形態において、調節可能な加重システムは、２、３、４、または５つのウェイトを含み得る。例えば、２つのウェイトを有する調整可能な加重システムの実施形態（例えば、図４〜図１０、図１３〜図２１）では、調整可能な加重システムの一構成は、ウェイトを含む部材がクラブヘッドのチャネル内に配置されているときに、クラブヘッドの後端４２およびトウ１８に向かって配置される第１のウェイトと、クラブヘッドの後端４２およびヒール２２に向かって配置される第２のウェイトと、を含むことができる。これらの実施形態では、第１のウェイトと第２のウェイトとの間の距離は、０．８インチ超、０．９インチ超、１．０インチ超、１．１インチ超、１．２インチ超、または１．３インチ超であり得る。例えば、第１のウェイトと第２のウェイトとの間の距離は、０．８〜１．３インチの間、０．９〜１．３インチの間、１．０〜１．３インチの間、または１．１〜１．３インチの間であり得る。
【００７９】
さらなる例では、３つのウェイトを有する調整可能な加重システムの実施形態（図２３〜２６）では、調整可能な加重システムの一構成は、クラブヘッドの後端４２およびトウ１８に向かって配置され得る第１のウェイトと、クラブヘッドの後端４２およびヒール２２に向かって配置される第２のウェイトと、クラブヘッドの後端４２に向かって、および／またはヘッド深さ軸１０１２２と実質的に一致又は隣接するように、および／または第１ウェイトと第２ウェイトとの間となるように配置され得る第３のウェイトと、を含むことができる。これらの実施形態では、隣接するウェイト間の距離（例えば、第１のウェイトと第３のウェイトとの間の距離、または第２のウェイトと第３のウェイトとの間の距離）は、０．５インチ超、０．６インチ超、０．７インチ超、０．８インチ超、０．９インチ超、または１．０インチ超とすることができる。例えば、隣接するウェイト間の距離（例えば、第１のウェイトと第３のウェイトとの間の距離、または第２のウェイトと第３のウェイトとの間の距離）は、０．５〜１．０インチの間、０．６〜１．０インチの間、０．７〜１．０インチの間、または０．８〜１．０インチの間とすることができる。
【００８０】
他の実施形態では、調整可能な加重システムは、２つ、３つ、４つ、５つ、６つ、７つ、８つ、またはそれ以上のウェイトなど、１より大きい任意の数の重みを含むことができる。調整可能な加重システムが４つのウェイトを含む実施形態では、隣接するウェイト間の距離は、０．４インチ超、０．５インチ超、０．６インチ超、０．７インチ超、０．８インチ超、または０．９インチ超とすることができる。例えば、４つのウェイトを含む実施形態では、隣接するウェイト間の距離は、０．４〜０．９インチの間、０．５〜０．９インチの間、０．６〜０．９インチの間、または０．７〜０．９インチの間とすることができる。調整可能な加重システムが５つのウェイトを含む実施形態では、隣接するウェイト間の距離は、０．３インチ超、０．４インチ超、０．５インチ超、０．６インチ超、０．７インチ超、または０．８インチ超とすることができる。例えば、５つのウェイトを含む実施形態では、隣接するウェイト間の距離は、０．３〜０．８インチの間、０．４〜０．８インチの間、０．５〜０．８インチの間、または０．６〜０．８インチの間とすることができる。
【００８１】
調整可能な加重システムの１つ以上のウェイトは、クラウンからソール方向に測定された高さＨｗ、ヒールからトウ方向に測定された幅Ｗｗ、および前後方向に測定された深さＤｗを有することができる。多くの実施形態では、高さＨｗは、０．５インチ未満、０．４インチ未満、０．３インチ未満、０．２５インチ未満、０．２インチ未満、０．１８インチ未満、０．１６インチ未満、０．１４インチ未満、０．１２ｍｍ未満、または０．１０インチ未満であり得る。例えば、いくつかの実施形態では、高さＨｗは、０．１インチから０．５インチの間であり得る。多くの実施形態では、幅Ｗｗは、１．３インチ未満、１．２インチ未満、１．１インチ未満、１．０インチ未満、０．９インチ未満、０．８インチ未満、０．７インチ未満、０．６インチ未満、０．５インチ未満、または０．４インチ未満であり得る。例えば、幅Ｗｗは、０．２５インチから１．２５インチの間であり得る。多くの実施形態において、深さＤｗは、１．０インチ未満、０．９インチ未満、０．８インチ未満、０．７インチ未満、０．６インチ未満、０．５インチ未満、０．４インチ未満、０．３インチ未満、０．２インチ未満、または０．１インチ未満であり得る。例えば、深さＤｗは、０．２５インチから１．２５インチの間であり得る。
【００８２】
多くの実施形態において、第１のウェイトは、残りのウェイトのうちの１つ以上（例えば、第２のウェイト、第３のウェイト、第４のウェイト、および／または第５のウェイト）よりも重い。第１のウェイトは、１０グラム超、１２グラム超、１４グラム超、１６グラム超、１８グラム超、２０グラム超、２２グラム超、２４グラム超、２６グラム超、２８グラム超、または３０グラム超の質量を含むことができる。例えば、第１のウェイトは、６〜２０グラムの間、６〜５０グラムの間、１０〜５０グラムの間、１５〜５０グラムの間、２０〜５０グラムの間、１５〜４０グラムの間、２０〜４０グラムの間、２５〜３５グラムの間、１０〜２５グラムの間、１５〜２５グラムの間、１０〜２０グラムの間、または１５〜２０グラムの間の質量を含むことができる。残りのウェイト（例えば、第２のウェイト、第３のウェイト、第４のウェイト、および／または第５のウェイト）は、２０グラム未満、１８グラム未満、１６グラム未満、１４グラム未満、１２グラム未満、１０グラム未満、８グラム未満、６グラム未満、４グラム未満、または２グラム未満の質量を含むことができる。例えば、残りのウェイトは、０．１０〜１５グラムの間、０．２５〜１０グラムの間、０．２５〜１０グラムの間、０．５〜７グラムの間、または１〜１０グラムの間の質量を含むことができる。さらに、残りのウェイトは、互いに同じまたは異なる質量を含むことができる。
【００８３】
部材および各ウェイトは、１つの材料、２つ以上の材料、または複数の材料から形成することができる。例えば、部材は、金属（例えば、アルミニウム、鋼、チタン）、金属合金（例えば、アルミニウム合金、チタン合金、スチール合金）、プラスチックまたはプラスチック群、粉末金属を含むプラスチック、複合材料、粉末金属を含む複合材料、または他の適切な材料で形成することができる。さらなる例では、１つまたは複数のウェイトは、高密度材料（たとえばタングステンなど）、低密度材料（たとえばポリウレタンまたは他の適切なプラスチックなど）、２つまたはそれ以上の高密度材料の組み合わせ、２つ以上の低密度材料の組み合わせ、または高密度材料と低密度材料の組み合わせで形成することができる。さらなる例として、１つまたは複数のウェイトは、金属、金属合金、プラスチックまたはプラスチック群、粉末金属を含むプラスチック、複合材料、粉末金属を含む複合材料、または他の任意の適切な材料から形成することができる。
【００８４】
第１のウェイトは、部材の任意の取り付け位置に配置することができる。２つの取り付け位置を含む調整可能な加重システムを有する実施形態では、部材がクラブヘッドに結合されたときに第１のウェイトがトウ１８の近くに配置されるように、第１のウェイトを第１の取り付け位置に配置することができる。さらに、第１のウェイトは、部材がクラブヘッドに結合されたときに第１のウェイトがヒール２２の近くに配置されるように、第２の取り付け位置に配置することができる。これらの実施形態では、第１のウェイトを第１の取り付け位置から第２の取り付け位置に移動させると、ヘッドＣＧがヒール２２に向かって移動し、第１のウェイトを第２の取り付け位置から第１の取り付け位置に移動させると、ヘッドＣＧがトウ１８に向かって移動する。これらの実施形態では、残りの取り付け位置は、第１のウェイトより軽い第２のウェイトを含むことができる。
【００８５】
３つのウェイトを備える調整可能な加重システムを有する実施形態では、部材の中央に配置された第３の取り付け位置に第１のウェイトを配置することができ、それによって中立なヘッドＣＧ位置を生じさせる。第１のウェイトは、第３の取り付け位置から第１の取り付け位置へと移動することができ、これはトウ１８の方へ位置決めされ、それによってヘッドＣＧ５８をトウ１８の方向へある距離だけ移動させる。第１のウェイトは、第３の取り付け位置から第２の取り付け位置へと移動することができ、これはヒール２２の方に位置決めされ、それによってヘッドＣＧ５８をヒール２２の方向にある距離だけ移動する。これらの実施形態では、残りの位置にはウェイトがなくてもよく、または残りの位置が第１のウェイトよりも軽い追加のウェイトを含んでもよい。
【００８６】
第１のウェイトをトウ１８に最も近い取り付け位置からヒール２２に最も近い取り付け位置に移動させると、ヘッドＣＧ５８を少なくとも０．１０インチ、少なくとも０．１５インチ、少なくとも０．２０インチ、少なくとも０．２５インチの距離、少なくとも０．３０インチだけ、ｘ軸６２と平行に延びる方向にシフトさせることができる。例えば、多くの実施形態において、第１ウェイトをトウ１８に最も近い取り付け位置からヒール２２に最も近い取り付け位置へ移動させることは、ヘッドＣＧ５８を０．０５から０．３０インチの間、０．１５から０．３０インチの間、０．２０から０．３０インチの間、０．１５から０．２５インチの間、または０．２０から０．２５インチの間で移動させることができる。
【００８７】
これらの、または他の実施形態では、ヘッドＣＧ５８をトウ１８に向かってシフトさせると、フェードを生じさせるか、またはフックを修正することができる。逆に、ヘッドＣＧ５８をヒール２２に向かって移動させると、ドローを生じさせるか、またはスライスを修正することができる。以下に説明する調整可能な加重システムの実施形態では、ヘッドＣＧ５８をｘ軸６２に平行に延びる方向に０．１０インチと０．３０インチとの間でシフトさせると、４．６から１３．９ヤードのショット曲げの変化をもたらすことができる。
【００８８】
他の実施形態は、クラブヘッドの打撃フェース３４に向かって配置された部材上の１つまたは複数の取り付け位置を含むことができる（例えば、図２２および図２９）。これらの実施形態では、打撃フェース３４の近くの取り付け位置からクラブヘッドの後端４２の近くの取り付け位置に１つまたは複数のウェイトを移動させると、ヘッドＣＧ周りのクラブヘッド慣性モーメントＭＯＩＣＧが増加し、ゴルフボールの動的なロフト角または打ち出し角が増加する。逆に、後端４２近くの取り付け位置からクラブヘッドの打撃面３４近くの取り付け位置に１つまたは複数のウェイトを移動させると、ゴルフボールの動的なロフト角または打ち出し角を減少させることができる。
【００８９】
本明細書に記載の調整可能な加重システムを有するクラブヘッドの実施形態は、ヘッドＣＧの深さ１０１３０およびクラブヘッド慣性モーメントを最大化する（または非調整可能なクラブヘッドと比較して調整性の導入に典型的に伴うヘッドＣＧの深さ１０１３０およびクラブヘッド慣性モーメントの減少の最小化）。多くの実施形態において、最大のヘッドＣＧの深さおよびクラブヘッドの慣性モーメントは、比較的低い質量を有する第１の調整可能ウェイトによって達成され、それによって、ボールスピンおよび／または軌道のユーザ調整可能性を可能にしながら、クラブヘッド性能特性（例えば、許容度、低バックスピン、高打ち上げ）を維持するための設計効率が高められる。
【００９０】
下記の関係３（Relation 3）を参照すると、調整可能な加重システムを有するクラブヘッドは、第１のウェイトの質量Ｗｍに対するヘッドＣＧの深さ１０１３０である深さ対質量比を含む。多くの実施形態では、クラブヘッドの深さ対質量比は、０．０６０インチ／グラム超、０．０７０インチ／グラム超、０．０８０インチ／グラム超、０．０９０インチ／グラム超、０．１００インチ／グラム超、とすることができる。０．１１０インチ／グラム超、０．１２０インチ／グラム超、または０．１３０インチ／グラム超であり得る。いくつかの実施形態では、深さ対質量比は、０．０７０〜０．１３インチ／グラムの間、０．０８０〜０．１３インチ／グラムの間、０．０９０〜０．１３インチ／グラムの間、０．０７０〜０．１１インチ／グラムの間、０．０８０〜０．１１インチ／グラムの間、または０．０９０から０．１１インチ／グラムの間であり得る。これらの実施形態では、第１のウェイトの質量は、２５グラム未満、２４グラム未満、２３グラム未満、２２グラム未満、２０グラム未満、１９グラム未満、１８グラム未満、１７グラム未満、１６グラム未満、または１５グラム未満であり得る。いくつかの実施形態では、第１のウェイトの質量は、６〜２０グラムの間、１０〜２０グラムの間、１２〜２０グラムの間、１４〜２０グラムの間、１６〜２０グラムの間、１０〜１８グラムの間、１２〜１８グラムの間、または１４〜１８グラムの間であり得る。
【数３】
2019519324.tif 000005
【００９１】
下記の関係４（Relation 4）を参照すると、調整可能な加重システムを有するクラブヘッドは、第１のウェイトの質量Ｗｍに対するヘッドＣＧ周りの合成慣性モーメントＭＯＩＣＧとして定義される第１の慣性対質量比を含むことができる。多くの実施形態では、第１の慣性対質量比は、４００ｃｍ２超、４１０ｃｍ２超、４２０ｃｍ２超、４３０ｃｍ２超、４４０ｃｍ２超、４５０ｃｍ２超、４６０ｃｍ２超、４７０ｃｍ２超、４８０ｃｍ２超、４９０ｃｍ２超、５００ｃｍ２超、５１０ｃｍ２超、５２０ｃｍ２超、５３０ｃｍ２超、５４０ｃｍ２超、５５０ｃｍ２超、５６０ｃｍ２超、５７０ｃｍ２超、５８０ｃｍ２超、５９０ｃｍ２超、６００ｃｍ２超、６１０ｃｍ２超、６２０ｃｍ２超、６３０ｃｍ２超、６４０ｃｍ２超、６５０ｃｍ２超、６６０ｃｍ２超、６７０ｃｍ２超、６８０ｃｍ２超、６９０ｃｍ２超、または７００ｃｍ２超であり得る。いくつかの実施形態において、第１慣性質量比は、４００〜７００ｃｍ２の間、５１０〜７５０ｃｍ２の間、５２０〜７５０ｃｍ２の間、５３０〜７５０ｃｍ２の間、５４０〜７５０ｃｍ２の間、５５０〜７５０ｃｍ２の間、５００〜７００ｃｍ２の間、５１０〜７００ｃｍ２の間、５２０〜７００ｃｍ２の間、５３０〜７００ｃｍ２の間、５４０〜７００ｃｍ２の間、または５５０〜７００ｃｍ２の間であり得る。これらの実施形態では、第１のウェイトの質量は、２５グラム未満、２４グラム未満、２３グラム未満、２２グラム未満、２０グラム未満、１９グラム未満、１８グラム未満、１７グラム未満、１６グラム未満、または１５グラム未満であり得る。いくつかの実施形態では、第１のウェイトの質量は、６〜２０グラムの間、１０〜２０グラムの間、１２〜２０グラムの間、１４〜２０グラムの間、１６〜２０グラムの間、１０〜１８グラムの間、１２〜１８グラムの間、または１４〜１８グラムの間であり得る。
【数４】
2019519324.tif 000006
【００９２】
本明細書に記載の調整可能な加重システムを有するクラブヘッドの実施形態は、部材の複数の取り付け位置に対する１つまたは複数のウェイトを調整することによって、ヘッドＣＧの総シフトを最大にすることが可能である。多くの実施形態では、ヘッドＣＧの最大総シフトは、比較的低い質量を有する第１の調整可能ウェイトによって達成され、それによって、ボールスピンおよび／または軌道のユーザ調整可能性を可能にしながら、クラブヘッド性能特性（例えば、許容度、低バックスピン、高打ち上げ）を維持するための設計効率が高められる。
【００９３】
下記の関係５（Relation 5）を参照すると、調整可能な加重システムを有するクラブヘッドは、第１のウェイトの質量に対するヘッドＣＧの総シフトまたは最大ヘッドＣＧシフトとして定義されるヘッドＣＧ対質量比を含む。多くの実施形態では、ヘッドＣＧ対質量比は、０．００８インチ／グラム超、０．００９インチ／グラム超、０．０１０インチ／グラム超、０．０１１インチ／グラム超、０．０１２インチ／グラム超、０．０１３超、０．０１４インチ／グラム超、または０．０１５インチ／グラム超であり得る。いくつかの実施形態では、ヘッドＣＧ対質量比は、０．００８〜０．０１５インチ／グラムの間、０．００９〜０．０１５インチ／グラムの間、０．０１０〜０．０１５インチ／グラムの間、０．００８〜０．０１３インチ／グラムの間、０．００９〜０．０１３インチ／グラムの間、または０．０１０〜０．０１３インチ／グラムの間であり得る。これらの実施形態では、第１のウェイトの質量は、２５グラム未満、２４グラム未満、２３グラム未満、２２グラム未満、２０グラム未満、１９グラム未満、１８グラム未満、１７グラム未満、１６グラム未満、または１５グラム未満であり得る。いくつかの実施形態では、第１のウェイトの質量は、６〜２０グラムの間、１０〜２０グラムの間、１２〜２０グラムの間、１４〜２０グラムの間、１６〜２０グラムの間、１０〜１８グラムの間、１２〜１８グラムの間、または１４〜１８グラムの間であり得る。
【数５】
2019519324.tif 000007
【００９４】
調整可能な加重システムの１つまたは複数のウェイトは、ウェイトＣＧＷＣＧを含む。多くの実施形態では、ウェイトＣＧＷＣＧは、上面図または底面図から見たときに、クラブヘッドの後部周囲部またはスカート７４の近くで、打撃フェース３４の幾何学的中心１４０から最大の距離に位置する。クラブヘッドの後部周囲部７４の近くまたは打撃フェース３４から離れて重量ＣＧＷＣＧを配置することは、周辺部の重量およびクラブヘッドの慣性モーメントを増加させることができ、これにより、より近くに配置された調整可能ウェイトと比較して、偏心打撃に対するクラブヘッドの許容度を向上させる。さらに、ウェイトＣＧＷＣＧを後部周囲部７４の近くまたは打撃フェース３４から離して位置決めすることにより、ヘッドＣＧ位置をより低くかつより後ろにすることができ、これにより、打撃フェースに近い位置の調整可能ウェイトと比較して、クラブヘッドの慣性モーメントが増加し、バックスピンが減少する。
【００９５】
これらの実施形態では、１つまたは複数のウェイトのウェイトＣＧＷＣＧは、クラブヘッドの後部周囲部７４から距離Ｄ１のところに配置されている。距離Ｄ１は、ｘ’ｚ’平面１０１２６に垂直な、クラブヘッドを底面から見たときの、ウェイトＣＧから周囲部７４までの最小投影距離として測定することができる。さらに、距離Ｄ１は、ｘ’ｚ’平面１０１２６に平行な方向に測定することができる。例えば、１つまたは複数のウェイトのウェイトＣＧＷＣＧは、クラブヘッドの後部周囲部７４から０．７インチ以内、０．６５インチ以内、０．６インチ以内、０．５５インチ以内、０．５インチ以内、０．４５インチ以内、０．４インチ以内、０．３５インチ以内、０．３インチ以内、０．２５インチ以内、または０．２インチ以内に配置することができる。さらなる例では、１つまたは複数のウェイトのウェイトＣＧＷＣＧは、クラブヘッドの後部周囲部７４から０．１０〜０．５０インチの間、０．２５〜０．５インチの間、０．１０〜０．２５インチの間、０．１０〜０．３５インチの間、または０．１０〜０．４５インチの間に配置することができる。
【００９６】
さらに、これらの実施形態では、１つまたは複数のウェイトのウェイトＣＧＷＣＧは、クラブヘッドの打撃フェース３４の幾何学的中心１４０から距離Ｄ２に配置されている。例えば、１つまたは複数のウェイトのウェイトＣＧＷＣＧは、打撃フェースの幾何学的中心から２．０インチ超、２．２５インチ超、２．５インチ超、２．７５インチ超、３．０インチ超、３．２５インチ超、３．５インチ超、または３．７５インチ超の距離Ｄ２に配置することができる。さらなる例では、１つまたは複数のウェイトのウェイトＣＧＷＣＧは、打撃フェース３４の幾何学的中心１４０から３．０〜３．７５インチの間、３．０〜４．０インチの間、３．２〜４．０インチの間、または３．５〜４．０インチの間の距離Ｄ２に配置することができる。打撃フェース３４の幾何学的中心１４０からウェイトＣＧＷＣＧを遠ざけることにより、周囲部の重量およびクラブヘッドの慣性モーメントを増加させることができ、これにより、打撃フェースに近い位置の調整可能ウェイトと比較して、偏心打撃に対するクラブヘッドの許容度が向上する。さらに、打撃フェース３４の幾何学的中心１４０からウェイトＣＧＷＣＧを遠ざけることにより、ヘッドＣＧ位置をより低くかつより後ろにすることができ、これにより、打撃フェースに近い位置の調整可能ウェイトと比較して、クラブヘッドの慣性モーメントが増加し、バックスピンが減少する。
【００９７】
多くの実施形態では、ウェイトＣＧＷＣＧは、ソール３０の外部輪郭または外面１０１４６から突き出し、ソール３０の外部輪郭１０１４６と同一平面上に配置され、および／またはソール３０の外部輪郭１０１４６に対して最小の内向きに配置される。ウェイトＣＧＷＣＧを、ソール３０の外側輪郭１０１４６に対して最小にはめ込む、同一平面にする、またはそれに対して外側に位置決めすることにより、１つまたは複数のウェイトを受け入れるために必要な構造支持材料が少なくて済み、これにより、薄型の調整可能な加重システムを維持することとなる。したがって、ウェイトＣＧＷＣＧを、ソール３０の外部輪郭１０１４６に対して最小にはめ込む、同一平面にする、または外部に配置することにより、周囲部の重量およびクラブヘッドの慣性モーメントを増加させることができ、これにより、内部調整可能ウェイトまたはクラブヘッドに埋め込まれた調整可能ウェイトと比較して、偏心打撃に対するクラブヘッドの許容性が向上する。さらに、ウェイトＣＧＷＣＧを、ソール３０の外部輪郭１０１４６に対して最小にはめ込む、同一平面にする、またはそれに対して外側に位置決めすることにより、ヘッドＣＧの位置をより低くかつより後方にすることができ、これにより、内部調整可能ウェイトまたはクラブヘッドに埋め込まれた調整可能ウェイトと比較して、クラブヘッドの慣性モーメントが増大し、バックスピンが減少する。
【００９８】
これらの実施形態では、１つまたは複数のウェイトのウェイトＣＧＷＣＧは、ソール３０の外部輪郭１０１４６から距離Ｄ３に配置され、距離Ｄ３は、ｙ軸６６に平行な方向に測定される。例えば、１つまたは複数のウェイトのウェイトＣＧＷＣＧは、ソールの外部輪郭１０１４６から最大０．１０インチ、最大０．１５インチ、最大０．２０インチ、最大０．２５インチ、または最大０．３０インチ突出することができる。いくつかの実施形態では、１つまたは複数のウェイトのウェイトＣＧＷＣＧは、ソール３０の外部輪郭１０１４６から０．１０から０．２５インチの間、０．１５から０．２５インチの間、０．１５から０．２５インチの間、または０．１５から０．３０インチの間で突出している。さらなる例では、ウェイトＣＧＷＣＧは、ソール３０の外部輪郭１０１４６に対して、０．１５インチ未満、０．１４インチ未満、０．１３インチ未満、０．１２５インチ未満、０．１２インチ未満、０．１１インチ未満、０．１０インチ未満、０．０９インチ未満、０．０８インチ未満、または０．０７インチ未満の距離Ｄ３だけ差し込まれることができる。いくつかの実施形態では、１つまたは複数のウェイトのウェイトＣＧＷＣＧは、ソール３０の外部輪郭１０１４８に対して、０．０５と０．１５インチの間、０．０５と０．１２５インチの間、０．０５と０．１５インチの間、０．１０と０．１５インチの間、０．１０と０．１２５インチの間、または０．１０と０．１５インチの間の距離Ｄ３だけはめ込まれている。
【００９９】
Ｂ.調整可能な加重システムの実施形態
図４Ａおよび図４Ｂを参照すると、調整可能な加重システム５００の一実施形態が示されている。調整可能な加重システム５００は、クラブヘッド１０のソール３０に配置されている単一のポートまたはチャネルまたは溝状トラック５０４を含む。図示の実施形態では、チャネル５０４は、フェースプレート３４よりもクラブヘッド１０の後部４２の近位に、またはそれに近い位置に配置されている。しかしながら、他の実施形態では、チャネル５０４は、フェースプレート３４に対してクラブヘッド１０のソール３０の任意の適切な位置に配置することができる。さらに、チャネル５０４は弓形または湾曲形状を有するように示されている。しかしながら、他の実施形態では、チャネル５０４は任意の適切な形状（例えば、直線状、幾何学的形状など）を有することができる。図４Ａに示すように、チャネル５０４は、幅Ｗおよび高さ（または深さ）Ｈを含む。幅Ｗは、チャネル５０４の対向する側面間の距離として定義される。高さＨは、ソール３０とチャネル５０４の底面との間の距離として定義される。図示の実施形態では、幅Ｗおよび高さＨは、チャネル５０４に沿って一定である（すなわち、チャネル５０４に沿った異なる位置において同じである）。他の実施形態では、高さＨがチャネル５０４に沿って変化するかまたは変化しているように、チャネル５０４の底面を傾斜または階段状にすることができる。さらに他の実施形態では、チャネル５０４の対向する側面間の距離は、チャネル５０４に沿って可変幅Ｗを有するように変化（例えば、増加または減少）することができる。
【０１００】
調節可能な加重システム５００はまた、チャネル５０４によって受け入れられるように構成されている部材５０８（またはインサート７０８）を含む。部材５０８は、（図４Ｂに示される）本体幅ＷＢおよび本体高さ（または本体深さ）ＨＢを有する本体５１２を含む。本体幅ＷＢは、チャネル５０４の幅Ｗを超えないように、チャネル５０４の幅Ｗに対応することが好ましい。同様に、本体の高さＨＢは、チャネル５０４の高さＨを超えないように、チャネル５０４の高さＨに対応することが好ましい。これにより、部材５０８がチャネル５０４によって受け入れられることが可能になる。他の実施形態では、本体幅ＷＢはチャネル５０４の幅Ｗより小さくてもよく、および／または本体高さＨＢはチャネル５０４の高さＨより小さくてもよいことを理解されたい。さらに他の実施形態では、本体の高さＨＢはチャネル５０４の高さＨより大きくてもよく、これにより、部材５０８がチャネル５０４から延出される。本体５１２は、本体５１２を完全に貫通して延びる開口部５１４を画定する。開口部５１４は、チャネル５０４内に配置されたチャネル開口部７８（図４Ｂに示される）と整列するように構成される。位置合わせされると、開口部５１４およびチャネル開口部７８は、部材５０８をチャネル５０４に結合するように構成された締結具５１０を受け入れる。図示の実施形態では、締結具５１０は、ねじ付き締結具（例えば、ねじ、ボルトなど）、または部材５０８をチャネル５０４に選択的に固定するための任意の適切な装置とすることができる。さらに、多くの実施形態では、締結具５１０がクラブヘッド本体１０の密度に有意に寄与しないように、締結具５１０はクラブヘッド本体の密度と同等またはそれ未満の密度を含むことができる。
【０１０１】
図４Ｂを参照すると、本体５１２は第１の端部５１６および第２の端部５２０を含む。第１の端部５１６は本体５１２の一方の端部に配置され、第２の端部５２０は第１の端部５１６と反対側の本体５１２の他方の端部に配置されている。各端部５１６、５２０は、様々な構成でそれぞれのウェイト５３２、５３６と係合するように構成されているそれぞれの取り付け位置５２４、５２８を含む。図示の実施形態では、第１の端部５１６に位置する第１の取り付け位置５２４は第１の突出部５２４として示されている。第１の突出部５２４は第１および第２のアームを含み、各アームはフック形状を有し、空隙またはチャネル５２５を画定する。第２の端部５２０に位置する第２の取り付け位置５２８は、第２の突出部５２８として示されている。第２の突出部５２８は第１および第２のアームを含み、それぞれがフック形状を有し、空隙またはチャネル５２９を画定する。各ウェイト５３２、５３６は、第１および第２の突出部５２４、５２８に形状が対応し、突出部５２４、５２８のうちの１つと係合し、より具体的にはそれらを受け入れるように構成される空隙またはチャネル５４０を画定する。図示の実施形態では、ウェイト５３２、５３６は、突出部５２４、５２８の空隙５２５、５２９内に受け入れられて、ウェイト５３２、５３６を部材５０８に仮固定することができる柱５４２をさらに含む。これらの実施形態では、ウェイト５３２、５３６は、スナップ嵌合または圧入機構によって部材５０８に結合するように構成される。他の実施形態では、以下の実施形態でさらに説明されるように、ウェイト５３２、５３６は他の任意の適切な機構を使用して部材に結合することができる。
【０１０２】
各ウェイト５３２、５３６は丸い幾何学的形状を有する。他の実施形態では、ウェイト５３２、５３６は、正方形、円形、長方形、三角形、または任意の適切な多角形形状、または少なくとも１つの曲面を有する形状などの異なる形状を有することができる。さらに、ウェイトは、アドレス時にフェース角を調整するのに適した形状を有することができ、これについては、フェース角調整システム１２００に関連して以下でさらに詳細に説明する。
【０１０３】
第１および第２のウェイト５３２、５３６は、後述するように、重量分布およびクラブヘッドの重心を調整するために、ボールの弾道および／またはスピンに影響を与えるように、任意の取り付け位置５２４、５２８に配置または再配置することができる。
【０１０４】
図５〜図６を参照すると、調整可能な加重システム７００の実施形態が示されている。調整可能な加重システム７００は、調整可能な加重システム５００と同様の構成要素を有し、同様の名称および／または同様の番号は同様の構成要素を識別する。調整可能な加重システム７００は、クラブヘッド１０のソール３０に配置されている単一のポートまたはチャネルまたは溝状トラック７０４を含む。図示の実施形態では、チャネル７０４は、フェースプレート３４よりもクラブヘッド１０の後部４２の近位に、またはその近くに配置されている。しかしながら、他の実施形態では、チャネル７０４は、クラブヘッド１０のソール３０の任意の適切な位置に配置することができる。さらに、チャネル７０４は弓形または湾曲形状を有するように示されている。しかしながら、他の実施形態では、チャネル７０４は任意の適切な形状（例えば、直線状、幾何学的形状など）を有することができる。図６に示すように、チャネル７０４は幅Ｗと高さ（または深さ）Ｈを含む。幅Ｗはチャネル７０４の対向する側面間の距離として定義される。高さＨは、ソール３０とチャネル７０４の底面との間の距離として定義される。図示の実施形態では、幅Ｗおよび高さＨはチャネル７０４に沿って一定である（すなわち、チャネル７０４に沿った異なる位置において同じである）。他の実施形態では、高さＨがチャネル７０４に沿って変化する、または変化するように、チャネル７０４の底面を傾斜または段差にすることができる。さらに他の実施形態では、チャネル７０４の対向する側面間の距離は、チャネル７０４に沿って変化する幅Ｗを有するように変化（例えば、増加または減少）することができる。
【０１０５】
図５〜図６を参照すると、調節可能な加重システム７００はまた、チャネル７０４によって受け入れられるように構成されている部材７０８（またはインサート７０８）を含む。部材７０８は、（図５に示される）本体幅ＷＢおよび本体高さ（または本体深さ）ＨＢを有する本体７１２を含む。本体幅ＷＢは、チャネル７０４の幅Ｗを超えないように、チャネル７０４の幅Ｗに対応することが好ましい。同様に、本体の高さＨＢは、チャネル７０４の高さＨを超えないように、チャネル７０４の高さＨに対応することが好ましい。これにより、部材７０８がチャネル７０４によって受け入れられることが可能になる。他の実施形態では、本体幅ＷＢはチャネル７０４の幅Ｗより小さくてもよく、および／または本体高さＨＢはチャネル７０４の高さＨより小さくてもよいことを理解されたい。さらに他の実施形態では、本体の高さＨＢはチャネル７０４の高さＨより大きくてもよく、それにより部材７０８がチャネル７０４から延出される。本体７１２は、本体７１２を完全に貫通して延びる開口部７１４を画定する。開口部７１４は、チャネル７０４内に配置されたチャネル開口部７８（図１１に示す）と整列するように構成される。位置合わせされると、開口部７１４およびチャネル開口部７８（図１１に示される）は、部材７０８をチャネル７０４に結合するように構成された締結具（図５〜図６には示されないが、図７、図９、および図１１に８１０、９１０、１０１０としてそれぞれ示される）を受け入れる。図示の実施形態では、締結具は、ネジ付き締結具（例えば、ネジ、ボルトなど）または部材７０８をチャネル７０４に選択的に締結するための任意の適切な装置とすることができる。さらに、多くの実施形態では、締結具７１０は、締結具７１０がクラブヘッド１０の重量分布に大きく寄与しないように、クラブヘッド本体の密度と同等またはそれ未満の密度を含むことができる。
【０１０６】
図６に示すように、本体７１２は、第１の端部７１６と第２の端部７２０とを含む。第１の端部７１６は本体７１２の一方の端部に配置され、第２の端部７２０は第１の端部７１６とは反対側の本体７１２の他方の端部に配置されている。各端部７１６、７２０は、様々な構成でそれぞれのウェイト７３２、７３６と係合するように構成されているそれぞれの取り付け位置７２４、７２８を含む。図示の実施形態では、第１の端部７１６に位置する第１の取り付け位置７２４は、第１の突出部７２４（または第１の柱７２４）として示されている。第２の端部７２０に位置する第２の取り付け位置７２８は、第２の突出部７２８（または第２の柱７２８）として示されている。各ウェイト７３２、７３６は、突出部７２４、７２８のうちの１つと係合し、より具体的にはそれを受け入れるように構成された開口部７４０（または穴７４０）を画定することができる。各突出部７２４、７２８は、各開口部７４０内に配置された対応するねじ山とねじ連結部を形成するようにねじ山を切ることができる。他の実施形態では、各突出部７２４、７２８は、各開口部７４０が突出部７２４、７２８のうちの１つをスライド可能に受け入れて各取り付け位置７２４、７２８のうちの１つをスライド可能に取り付けるように滑らかな（または比較的滑らかな）表面を有し得る。開口部７４０は、各ウェイト７３２、７３６内に部分的に延びるように示されている。他の実施形態では、開口部７４０は、ウェイト７３２、７３６のうちの１つまたは複数を完全に貫通して延びることができる。各ウェイト７３２、７３６は本体７１２に対して取り外し可能に結合されるように示されているが、他の実施形態では、ウェイト７３２、７３６がユーザによって本体７１２から意図的に外されないように、各ウェイト７３２、７３６を本体７１２に取り付けることができる。例えば、ウェイト７３２、７３６は、接着剤または他の任意の永久もしくは半永久的な取り付け材料によって本体７１２にさらに取り付けることができる。
【０１０７】
各ウェイト７３２、７３６は幾何学的形状または多角形形状を有する。例えば、図６に示す実施形態では、各ウェイト７３２、７３６は三角形の断面形状を有する。各ウェイト７３２、７３６の三角形の断面形状は、異なる長さの辺を有することができる（例えば、二等辺三角形、不等辺三角形、鋭角、直角、鈍角など）。他の実施形態では、各ウェイト７３２、７３６の三角形の断面形状は、正三角形状であり得る（すなわち、三角形の各辺は同じ長さを有する）。さらに他の実施形態では、ウェイト７３２、７３６は、円錐ピラミッド形（または三角錐台形）の形状を有することができ、または異なる断面形状を有することができる。例えば、後述する図７〜図１０の実施形態では、各ウェイト８３２、８３６、９３２、９３６は、概して長方形の形状を有する。さらに他の実施形態では、各ウェイトは、本体７１２の断面形状に対応し、本体７１２の断面形状よりも大きく、本体７１２の断面形状よりも小さく、チャネル７０４の形状に対応し（すなわち、各ウェイトがチャネル７０４によって受け入れられるように）、チャネル７０４の幅Ｗおよび／または高さＨより寸法が小さいか、またはチャネル７０４の高さＨより寸法が大きい（例えば、ウェイトがチャネル７０４の外に延びてソール３０から突出するように）。さらに他の実施形態では、１つまたは複数のウェイトは、正方形、円形、長方形、三角形、または任意の適切な多角形であり得る。さらに、ウェイトは、アドレス時にフェース角を調整するのに適した形状を有することができ、これについては、フェース角調整システム１２００に関連して以下でさらに詳細に説明する。
【０１０８】
第１および第２のウェイト７３２、７３６は、後述するように、ボールの弾道および／またはスピンに影響を与えるように、重量分布およびクラブヘッドの重心を調整するために、任意の取り付け位置７２４、７２８に配置または再配置され得る。
【０１０９】
図７〜図８は、調整可能な加重システム８００の他の実施形態を示す。調整可能な加重システム８００は、調整可能な加重システム７００と同様の構成要素を有し、同様の名称および／または同様の番号は同様の構成要素を識別する。図７に示すように、調整可能な加重システム８００は、チャネル８０４と部材８０８を含む。チャネル８０４は、形状を除いてチャネル７０４と実質的に同じである。より具体的には、チャネル８０４は、異なる位置で異なる幅を有するように「Ｕ字形」を有する。例えば、チャネル８０４の端部における第１の幅Ｗ１は、チャネル８０４の中心（または中点）における第２の幅Ｗ２よりも大きい。部材８０８はまた、チャネル８０４によって受け入れられるように、チャネル８０４の形状に対応する「Ｕ字形」を有する。部材８０８は、締結具８１０によってチャネル８０４に結合されている。より具体的には、開口部８１４はチャネル開口部７８（図１１に示す）と位置合わせされ、開口部８１４およびチャネル開口部７８（図１１に示す）は締結具８１０を受け入れ、部材８０８がチャネル８０４に取り付けられる。さらに、多くの実施形態では、締結具８１０は、クラブヘッド１０の重量分布に大きく寄与しないように、クラブヘッド本体の密度と同等またはそれ未満の密度を含むことができる。
【０１１０】
部材８０８はまた、様々な構成で第１のウェイト８３２および第２のウェイト８３６を担持する。ウェイト８３２、８３６は、形状を除いてウェイト７３２、７３６と実質的に同じである（例えば、ウェイト８３２、８３６は突出部８２８などによって部材８０８に取り付けられる）。図７に示すように、ウェイト８３２、８３６は、ウェイト幅ＷＷがウェイト高さＷＨよりも大きい（または長い）ように、概して長方形の形状を有する。
【０１１１】
図９〜図１０は、調整可能な加重システム９００の他の実施形態を示す。調整可能な加重システム９００は、調整可能な加重システム７００、８００と同様の構成要素を有し、同様の名称および／または同様の番号は同様の構成要素を識別する。図９に示すように、調整可能な加重システム９００はチャネル９０４と部材９０８を含む。チャネル９０４は、形状を除いてチャネル７０４、８０４と実質的に同じである。より具体的には、チャネル９０４は、チャネル９０４が異なる位置で異なる幅を有するように「Ｍ字形」を有する。部材９０８はまた、チャネル９０４によって受け入れられるように対応する「Ｍ字形」を有する。部材９０８は締結具９１０によって溝９０４に結合する。より具体的には、開口部９１４（図１０に示す）がチャネル開口部７８（図１１に示す）と整列し、開口部９１４およびチャネル開口部７８（図１１に示す）が締結具９１０を受け入れて、部材９０８がチャネル９０４に取り付けられる。さらに、多くの実施形態では、締結具９１０は、クラブヘッド１０の重量分布に大きく寄与しないように、クラブヘッド本体の密度と同等またはそれ未満の密度を含むことができる。
【０１１２】
部材９０８はまた、様々な構成で第１のウェイト９３２および第２のウェイト９３６を担持する。ウェイト９３２、９３６は、ウェイト７３２、７３６、８３２、８３６と実質的に同じであり、ウェイト８３２、８３６と同じ長方形の形状を有することも含む。
【０１１３】
図１１は、調整可能な加重システム１０００の他の実施形態を示す。調整可能な加重システム１０００は、調整可能な加重システム７００、８００、９００と同様の構成要素を有し、同様の名称および／または同様の番号は同様の構成要素を識別する。図１１に示すように、調整可能な加重システム１０００は、チャネル１００４と部材１００８とを含む。チャネル１００４は、チャネル７０４と実質的に同じである。第１のウェイト１０３２は、第１のウェイト１０３２の形状を除いて、第１のウェイト７３２と実質的に同じである。特に、第１のウェイト１０３２は突出タブ１０４４を含む。突出タブ１０４４は、部材１００８に整列して結合するための係合面として機能する。より具体的には、突出タブは、突出タブ１０４４を通って延びる開口部１０４８を含む。部材１００８は、開口部７１４と実質的に同じ部材開口部１０１４が突出タブ開口部１０４８と整列するように突出タブ１０４４上に位置決めされる。次に、部材１０１８およびウェイト１０３２は、開口部１０１４、１０４８がチャネル開口部７８と整列するようにチャネル１００４内に配置される。開口部１０１４、１０４８、７８が整列すると、それらは締結具１０１０を受け入れる。締結具１０１０は締結具８１０、９１０と実質的に同じである。他の実施形態では、突出タブ１０４４が部材１００８の上方を延びることができ、あるいは突出タブ１０４４が（ウェイト１０３２ではなく）部材１００８と共に形成することができる。さらに他の実施形態では、突出タブ１０４４は、部材１００８の全体を含む部材１００８の一部分の下方を延びることができ、または部材１００８を越えて延びることができる。
【０１１４】
図１２は、調整可能な加重システム１１００の他の実施形態を示す。調整可能な加重システム１１００は、調整可能な加重システム７００、８００、９００、１０００と同様の構成要素を有し、同様の名称および／または同様の番号は同様の構成要素を識別する。図１２に示すように、調整可能な加重システム１１００は、チャネル１１０４と部材１１０８を含む。チャネル１００４はチャネル７０４と実質的に同じであり、部材１１０８は部材７０８と実質的に同じである。違いは、部材１１０８の本体１１１２が、４つの異なるウェイトとして示されている複数のウェイトに係合するように構成されていることである。調節可能な加重システム７００と同様に、第１のウェイト１１３２が本体１１１２の第１の端部１１１６の第１の取り付け位置に取り付けられ、第２のウェイト１１３６が本体１１１２の第２の端部１１２０の第２の取り付け位置に取り付けられる。しかしながら、調整可能な加重システム１１００のこの実施形態では、第３のウェイト１１５２が本体１１１２の第１の側面１１５６の第３の取り付け位置に取り付けられ、第４のウェイト１１６０が反対側の本体１１１２の第２の側面１１６４の第４の取り付け位置に取り付けられる。各ウェイト１１３２、１１３６、１１５２、１１６０は、ウェイト７３２、７３６と実質的に同じであってもよく、上記と同様に本体１１１２に取り付けられてもよい。さらに、第１、第２、第３、および第４のウェイト１１３２、１１３６、１１５２、１１６０は、後述するように、ボールの弾道および／またはスピンに影響を与えるために、部材の任意の取り付け位置に配置されるかまたはそれらの間に再配置されて、重量分布およびクラブヘッド重心を調整することができる。
【０１１５】
図１３は、フェース角調整システム１２００の一実施形態を示す。図示のシステム１２００は、調整可能な加重システム７００と構造的に類似しており、類似の名前および／または類似の番号は類似の構成要素を識別する。違いは、この実施形態では、各端部部材１２３２、１２３６は重み付けされていないが、その代わりに、静止フェース角度の調整を可能にするのに適した幾何学的形状（または形状）を有していることである。この実施形態は、本明細書に開示される調整可能な加重システム５００、７００、８００、９００、１０００、１１００とは別に説明されるが、フェース角調整システム１２００の特徴は、調整可能な加重と静止フェース角の調整の双方が可能となるシステムを提供するために、調整可能な加重システム５００、７００、８００、９００、１０００、１１００の実施形態のいずれにも組み込むことができることを理解されたい。したがって、他の実施形態では、各端部部材１２３２、１２３６は、本明細書に開示される静止フェース角度の調整を可能にする特徴も含むウェイト（例えば、ウェイト７３２、７３６、８３２、８３６、９３２、９３６、１１３２、１１３６、１１５２、１１６０など）であり得る。
【０１１６】
図１３に示すように、フェース角調整システム１２００は、ソール３０に配置されたチャネル１２０４と、本体１２１２を有する部材１２０８とを含む。本体１２１２は、部材１２０８をチャネル１２０４に結合するために締結具（図示せず、図７、９、および１１にそれぞれ８１０、９１０、１０１０として示す）を受け入れるように構成された開口１２１４を画定する。本体１２１２は、第１の端部１２１６および第２の端部１２２０を含み、第１の端部１２１６および第２の端部１２２０は、本体１２１２の両端に配置されている。第１の取り付け位置１２２４（または第１の突出部１２２４または第１の柱１２２４）は第１の端部１２１６に配置され、第２の取り付け位置１２２８（または第２の突出部１２２８または第２の柱１２２８）は第２の端部１２２０に配置される。第１の端部部材１２３２は第１の取り付け位置１２２４に取り外し可能に結合し、第２の端部部材１２３６は第２の取り付け位置１２２８に取り外し可能に結合する。各端部部材１２３２、１２３６は複数の側面１２６８ａ、１２６８ｂを有する。少なくとも１つの側面１２６８ａは、第２の側面１２６８ｂの長さよりも大きい長さを有することができる（または少なくとも１つの側面１２６８ａは、第２の側面１２６８ｂの長さよりも短い長さを有することができる）。したがって、端部部材１２３２、１２３６の一方または両方が本体１２１２に対して回転する（またはそれぞれの取り付け位置１２２４、１２２８に対して回転する）と、複数の側面１２６８ａ、１２６８ｂのうちの１つをチャネル１２０４から延出するように、ソール３０と同一平面になるように（例えば、チャネル１２０４から延出するまたは突出しないように）、および／またはチャネル１２０４内に陥没するように、配向することができる。各端部部材１２３２、１２３６は、開口部７４０と実質的に同じである開口部１２４０を含むことができることを理解されたい。したがって、端部部材１２３２、１２３６は、上述したように、ウェイト７３２、７３６が本体７１２に取り付けられるのと同じ方法で本体１２１２に取り付けることができる。
【０１１７】
調整可能な加重システム５００、７００、８００、９００、１０００、１１００の動作において、ユーザは、締結具５１０、８１０、９１０、１０１０を外すことにより、関連するチャネル５０４、７０４、８０４、９０８、１００４、１１０４から部材５０８、７０８、８０８、９０８、１００８、１１０８を取り除くことができる。その後、ユーザは、ウェイト５３２、５３６、７３２、７３６、８３２、８３６、９３２、９３６、１０３２、１０３６、１１３２、１１３６、１１５２、１１６０のうちの１つまたは複数を取り除いて再配置し、そして部材５０８、７０８、８０８、９０８、１００８、１１０８をチャネル５０４、７０４、８０４、９０８、１００４、１１０４に再び取り付けることができる。
【０１１８】
取り外し可能なウェイトのない実施形態では、ユーザは、関連するチャネル５０４、７０４、８０４、９０８、１００４、１１０４から部材５０８、７０８、８０８、９０８、１００８、１１０８を取り外し、次いで異なる重量を有する第２の部材構成（すなわち、ウェイト５３２、５３６、７３２、７３６、８３２、８３６、９３２、９３６、１０３２、１０３６、１１３２、１１３６、１１５２、１１６０のうちの１つ以上は、取り除かれた部材とは異なる質量を有する）を取り付けることができる。
【０１１９】
代替的に又は追加的に、部材５０８、７０８、８０８、９０８、１００８、１１０８を取り外し、配向を変え、そしてチャネル５０７、７０４、８０４、９０８、１００４、１１０４に再設置することができる。例えば、部材５０８、７０８、８０８、９０８、１００８、１１０８は、第１のウェイト５３２、７３２、８３２、９３２、１０３２、１１３２がヒール端よりもトウ端１８の近くに配置されている第１の配向から取り外され、再配向され（例えば、１８０度回転させる、ひっくり返す等）、そして、第１のウェイト５３２、７３２、８３２、９３２、１０３２、１１３２がトウ端１８よりもヒール端２２の近くに配置される第２の配向で再び取り付けられる。
【０１２０】
ウェイト５３２、５３６、７３２、７３６、８３２、８３６、９３２、９３６、１０３２、１０３６、１１３２、１１３６、１１５２、１１６０のうちの１つまたは複数の重量を変更することによって、および／または部材５０８、７０８、８０８、９０８、１００８、１１０８を再配向することによって、重心５８を調整（または変更）することができる。例えば、重心５８を調整（または移動）することができる距離は、０．０１インチから０．５０インチの範囲内とすることができ、その結果、ボール軌道の変化は０．４６ヤードから２３ヤードとなる。他の実施形態では、クラブヘッドの重心５８は、０．０５０インチから０．２００インチの範囲で調整（または移動）することができ、その結果、ボール軌道の変化が２．３ヤードから９．２ヤードとなる。
【０１２１】
フェース角調整システム１２００の動作において、ユーザは、締結具５１０、８１０、９１０、１０１０を外すことによってチャネル１２０４から部材１２０８を取り外すことができる。次いで、ユーザは、端部部材１２３２、１２３６の一方または両方を回転させ、取り外して交換し、または別の方法で配向を変え、次いで部材１２０８をチャネル１２０４に再設置し、部材１２０８をチャネル１２０４に再び取り付けることができる。
【０１２２】
例えば、トウ端１８に最も近い位置にある端部部材１２３２、１２３６を再び取り付けるときにチャネル１２０４の外に延びるように向きを変え、ヒール端２２に最も近い位置にある端部部材１２３６、１２３２を再び取り付けるときにチャネル１２０４の外に延びないように向きを変えることにより、アドレス時のフェース角（またはゴルフクラブの静止フェース角）は、アドレス時にトウ端１８がヒール端２２よりもゴルフボールに近い、クローズ位置に再配向することができる（例えば、ドローやフックを促進するためなど）。
【０１２３】
別の例としては、トウ端１８に最も近い位置にある端部部材１２３２、１２３６を再び取り付けるときにチャネル１２０４の外に延びないように向きを変え、ヒール端２２に最も近い位置にある端部部材１２３６、１２３２を再び取り付けるときにチャネル１２０４の外に延びるように向きを変えることにより、アドレス時のフェース角（またはゴルフクラブの静止フェース角）は、アドレス時にヒール端２２がトウ端１８よりもゴルフボールに近い、オープン位置（オープン構成）に再配向することができる（例えば、カットやスライスを促進するためなど）。
【０１２４】
さらに別の例として、トウ端１８に最も近い位置にある端部部材１２３２、１２３６を再び取り付けるときにチャネル１２０４の外に延びないように向きを変え、ヒール端２２に最も近い位置にある端部部材１２３６、１２３２を再び取り付けるときにチャネル１２０４の外に延びないように向きを変えることにより、アドレス時のフェース角（またはゴルフクラブの静止フェース角）は、アドレス時にヒール端２２とトウ端１８のどちらかがゴルフボールに近いことがない、ニュートラル位置（ニュートラル構成またはスクエア構成）に再配向することができる（例えば、ストレートなボール飛行を促進するためなど）。
【０１２５】
また、フェース角調整システム１２００の図示の実施形態はウェイトを含まないが、端部部材１２３２、１２３６は、本明細書に開示されるように、フェース角調整システム１２００が調整可能な加重システム５００、７００、８００、９００、１０００、１１００の１つ以上に組み込まれ得るようなウェイトであり得ることを理解されたい。
【０１２６】
図１４〜図１５を参照すると、調整可能な加重システム１３００の他の実施形態が示されている。調整可能な加重システム１３００は、クラブヘッド１０のソール３０に配置されている単一のポートまたはチャネルまたは溝状トラック１３０４（図１５に示されている）を含む。図示の実施形態では、チャネル１３０４は、フェースプレート３４よりもクラブヘッド１０の後部４２の近位に、またはその近くに配置されている。しかしながら、他の実施形態では、チャネル１３０４はクラブヘッド１０のソール３０の任意の適切な位置に配置することができる。チャネル１３０４は、弓形または湾曲形状を有するように示されている。他の実施形態では、チャネル１３０４は任意の適切な形状（例えば直線状など）を有することができる。
【０１２７】
図１５に示すように、チャネル１３０４は、第１のチャネル部１３０８、第２のチャネル部１３１２、および第３のチャネル部１３１６を含む。チャネル部１３０８、１３１２、１３１６は、チャネル１３０４（またはチャネル１３０４の一部）を集合的に画定することができる。第２のチャネル部１３１２は、第１のチャネル部分１３０８と第３のチャネル部分１３１６との間に配置されている。第２のチャネル部１３１２は、第２のチャネル部１３１２内のチャネル１３０４の対向する縁部間の距離を画定する第１の幅Ｗ１を含む。第１のチャネル部１３０８は、第１のチャネル部１３０８内のチャネル１３０４の対向する縁部間の距離を画定する第２の幅Ｗ２を含む。同様に、第３のチャネル部１３１６は、第３のチャネル部１３１６内のチャネル１３０４の対向する縁部間の距離を画定する第３の幅Ｗ３を含む。第１の幅Ｗ１は第２の幅Ｗ２および第３の幅Ｗ３より小さく、チャネル１３０４にテーパを形成する。言い換えれば、チャネル１３０４は、第１および第３のチャネル部１３０８、１３１６よりも第２のチャネル部１３１２の方が狭い。図示の実施形態では、第２幅Ｗ２と第３幅Ｗ３は実質的に同じ（または等しい）。しかしながら、他の実施形態では、第２の幅Ｗ２と第３の幅Ｗ３は異なる幅であり得る（または等しくなくてもよい）。
【０１２８】
チャネル１３０４はテーパ状端部１３２０ａ、ｂを含む。テーパ端部１３２０ａ、ｂは、（幅テーパの代わりに）深さテーパを画定し、それぞれのチャネル部分１３０８、１３１６からチャネル１３０４の縁部まで深さを徐々に減少させるようにチャネル１３０４の両端に配置される。第１のテーパ状端部１３２０ａは、第１のチャネル部分１３０８内に位置決めされ、そして減少する深さを有する。言い換えれば、テーパ状端部１３２０ａに沿った深さは、第１のチャネル部分１３０８における深さよりも小さい。第２のテーパ状端部１３２０ｂは、それが第３のチャネル部分１３１６内に位置決めされることを除いて、第１のテーパ状端部１３２０ａと実質的に同じである。実施形態の他の例では、チャネル１３０４は、テーパ状端部１３２０を含むかまたはテーパ状端部を含まない一端を有することができる。
【０１２９】
図１４〜図１５を参照すると、調節可能な加重システム１３００はまた、チャネル１３０４によって受け入れられるように構成されている部材１３２４（またはインサート１３２４）を含む。図示の実施形態では、部材１３２４は、チャネル１３０４によって受け入れられるように、チャネル１３０４と相補的な形状を有する。
【０１３０】
図１５に示すように、部材１３２４は本体１３２８（または中央部材１３２８）を含む。本体１３２８は、第２の端部１３３６の反対側にある第１の端部１３３２を含む。端部１３３２、１３３６の各々は、本体１３２８の厚さ（または深さ）よりも小さい厚さ（または深さ）を有する。各端部１３３２、１３３６はまた、端部１３３２、１３３６を完全に貫通して延びるそれぞれの開口部１３４０ａ、ｂを画定する。本体１３２８は、ウェイト（またはマス）を有することができる。第１のウェイト１３４４は、第１の端部１３３２で第１の取り付け位置に取り付けるように構成されている。より具体的には、第１のウェイト１３４４は、第１の端部１３３２を受け入れる（またはスライド可能に受け入れる）ように構成されたスロット１３４８を画定する。第１のウェイト１３４４はまた、スロット１３４８の両側で第１のウェイト１３４４を貫通して配置された対向する開口部１３５２ａ、ｂを含む。第２のウェイト１３５６は、第１のウェイト１３４４と実質的に同じであり、同じ番号は同じ構成要素を識別する。部材１３２４が本体１３２８、第１のウェイト１３４４、および第２のウェイト１３５６を含むことを理解されたい。
【０１３１】
第１のウェイト１３４４は、第１の端部１３３２で本体１３２８に取り外し可能に取り付けられている。第１のウェイト１３４４は、スロット１３４８内に第１の端部１３３２を受け入れる。言い換えれば、第１の端部１３３２は、第１のウェイト１３４４のスロット１３４８によってスライド可能に受け入れられる。次に、開口部１３５２ａ、１３４０ａ、および１３５２ｂを位置合わせして位置決めし、第１の端部１３３２の開口部１３４０ａを第１のウェイト１３４４の開口部１３５２ａ、１３５２ｂの間に位置決めする。位置合わせされると、開口部１３５２ａ、１３４０ａ、１３５２ｂは締結具（例えば、ネジ付きネジなど）を受け入れることができる（図示せず）。第２のウェイト１３５６は、同じ方法で第２の端部１３３６の第２の取り付け位置で本体１３２８に取り外し可能に取り付けられる。より具体的には、第２のウェイト１３５６は、スロット１３４８内に第２の端部１３３６を受け入れる。言い換えれば、第２の端部１３３６は、第２のウェイト１３５６のスロット１３４８によってスライド可能に受け入れられる。次に、開口部１３５２ａ、１３４０ｂ、および１３５２ｂを位置合わせして位置決めし、第２の端部１３３６の開口部１３４０ｂを第２のウェイト１３５６の開口部１３５２ａ、１３５２ｂの間に位置決めする。位置合わせされると、開口部１３５２ａ、１３４０ｂ、１３５２ｂは締結具（例えば、ネジ付きネジなど）を受け入れることができる（図示せず）。
【０１３２】
ウェイト１３４４、１３５６を本体１３２８に結合する締結具（図示せず）はまた、チャネル１３２４内で部材１３２４をクラブヘッド１０に結合することができる。より具体的には、締結具（図示せず）は、チャネル１３０４内に配置されたそれぞれの穴１３６０ａ、ｂ内に受け入れられる（または係合）ように構成される。より具体的には、第１の穴１３６０ａが第１のチャネル部１３０８内に位置決めされ、第２の孔１３６０ｂが第３のチャネル部１３１６内に位置決めされる。多くの実施形態では、締結具は、クラブヘッド１０の重量分布に大きく寄与しないように、クラブヘッド本体の密度と同等以下の密度を含むことができる。
【０１３３】
第１および第２のウェイト１３４４、１３５６は、後述するように、ボールの弾道および／またはスピンに影響を与えるために、重量分布およびクラブヘッドの重心を調整するために、任意の取り付け位置に配置または再配置することができる。
【０１３４】
図１６〜図１７は、調整可能な加重システム１４００の他の実施形態を示す。調整可能な加重システム１４００は、調整可能な加重システム１３００と同様の構成要素を有し、同様の名称および／または同様の番号は同様の構成要素を識別する。調整可能な加重システム１４００は実質的に調整可能な加重システム１３００と類似しており、相違点のみが本明細書に記載されており、同様の構造は「１００」だけ増分された同じ参照番号で参照される（例えば１３０４および１４０４は両方ともチャネルなどを参照）。
【０１３５】
図１７に示すように、調整可能な加重システム１４００は、第１のチャネル部１４０８、第２のチャネル部１４１２、および第３のチャネル部１４１６を有するチャネル１４０４を含む。チャネル部１４０８、１４１２、１４１６は、チャネル部１３０８、１３１２、１３１６と実質的に同じであるが、第２のチャネル部１４１２内のチャネル１４０４の対向する縁部間の距離を画定する第１の幅Ｗ１Ａが第２のチャネル部１３１２の第１の幅Ｗ１より大きい。第１の幅Ｗ１Ａは、第１のチャネル部１４０８内のチャネル１４０４の対向する縁部間の距離を画定する第２の幅Ｗ２Ａより小さい。第１の幅Ｗ１Ａはまた、第３のチャネル部１４１６内のチャネル１４０４の対向する縁部間の距離を画定する第３の幅Ｗ３Ａよりも小さい。加えて、チャネル１４０４に形成されたテーパが存在するが、チャネル１３０４に形成されたテーパよりも目立たない（またはそれほど重要ではない）。
【０１３６】
図１８〜図１９は、調整可能な加重システム１５００の他の実施形態を示している。調整可能な加重システム１５００は、調整可能な加重システム１３００、１４００と同様の構成要素を有し、同様の名称および／または同様の番号は同様の構成要素を識別する。調整可能な加重システム１５００は実質的に調整可能な加重システム１３００と類似しており、相違点のみが本明細書で説明され、同様の構造は「２００」だけ増分された同じ参照番号で参照される（例えば、１３０４および１５０４は両方ともチャネルなどを参照）。
【０１３７】
図１９に示すように、調整可能な加重システム１５００は、第１のチャネル部１５０８、第２のチャネル部１５１２、および第３のチャネル部１５１６を有するチャネル１５０４を含む。チャネル部１５０８、１５１２、１５１６は、チャネル１５０４がチャネル部１５０８、１５１２、１５１６に沿って一定の幅Ｗ１Ｂを有し、チャネル１５０４が可変の深さを有することを除いて、チャネル部１３０８、１３１２、１３１６と実質的に同じである。より具体的には、第２のチャネル部１５１２内のチャネルの深さは、第１のチャネル部１５０８および第３のチャネル部１５１６内のチャネルの深さよりも小さい。より具体的には、第２のチャネル部１５１２は第１の深さＤ１を含む。第１のチャネル部１５０８は第２の深さＤ２を含み、第３のチャネル部１５１６は第３の深さＤ３を含む。第１深さＤ１は、第２深さＤ２および第３深さＤ３よりも小さい。したがって、チャネル１５０４は、第２のチャネル部１５０８よりもウェイト１５４４、１５５６をそれぞれ受け入れる第１および第３のチャネル部１５０８、１５１６においてより大きな深さを有する。ウェイト１５４４、１５５６はウェイト１３４４、１３５６と実質的に同じであることを理解されたい。
【０１３８】
図２０〜図２１は、調整可能な加重システム１６００の他の実施形態を示している。調整可能な加重システム１６００は、調整可能な加重システム１００、１３００、１４００、１５００と同様の構成要素を有し、同様の名称および／または同様の番号は同様の構成要素を識別する。調整可能な加重システム１６００は実質的に調整可能な加重システム１５００と類似しており、相違点のみが本明細書で説明され、同様の構造は「１００」だけ増分された同じ参照番号で参照される（例えば１４０４および１５０４は両方ともチャネルなどを参照）。
【０１３９】
図２１に示すように、調整可能な加重システム１６００は、第１のチャネル部１６０８、第２のチャネル部１６１２、および第３のチャネル部１６１６を有するチャネル１６０４を含む。チャネル部１６０８、１６１２、１６１６は、チャネル１６０４が、第２のチャネル部１６１２と第１のチャネル部１６０８との間、および第２のチャネル部１６１２と第３のチャネル部１６１６の間にテーパ状移行部を含むことを除いて、チャネル部１５０８、１５１２、１５１６と実質的に同じである。より具体的には、チャネル１６０４は、第２のチャネル部１６１２と第１のチャネル部１６０８との間に第１のテーパ状深さ移行部１６６４ａを含む。第１のテーパ状深さ移行部１６６４ａは、第２のチャネル部１６１２から第１のチャネル部１６０８へのチャネル深さの増分的増加である。言い換えれば、第１のテーパ状深さ移行部１６６４ａは、第２のチャネル部１６１２と第１のチャネル部１６０８との間の勾配である。チャネル１６０４はまた、第２のチャネル部１６１２と第３のチャネル部１６１６との間に第２のテーパ状深さ移行部１６６４ｂを含む。第２のテーパ状深さ移行部１６６４ｂは、それが第２のチャネル部１６１２と第３のチャネル部１６１６との間に配置されることを除いて、第１のテーパ状深さ移行部１６６４ａと実質的に同じである。
【０１４０】
図２２は、調整可能な加重システム１７００の他の実施形態を示す。調整可能な加重システム１７００は、調整可能な加重システム１３００、１４００、１５００、１６００と同様の構成要素を有し、同様の名称および／または同様の番号は同様の構成要素を識別する。調整可能な加重システム１７００は実質的に調整可能な加重システム１３００と類似しており、相違点のみが本明細書で説明され、同様の構造は「４００」だけ増分された同じ参照番号で参照される（例えば、１３０４および１７０４は両方ともチャネルなどを参照）。
【０１４１】
調整可能な加重システム１７００は、チャネル１７０４（破線で示される）によって受け入れられるように構成されている部材１７２４（またはインサート１７２４）を含む。図示の実施形態では、部材１７２４は、チャネル１７０４によって受け入れられるように、チャネル１７０４と相補的な形状を有する。部材１７２４は、第１のウェイト１７４４および第２のウェイト１７５６を含む。部材１７２４は部材１３２４と実質的に同じであり、ウェイト１７４４、１７５６はウェイト１３４４、１３５６とほぼ同じである。しかしながら、部材１７２４は、それが「Ｔ字形」を有するという点で異なる。より具体的には、部材１７２４は、本体部１７２８と、本体部１７２８とほぼ直交する向きの脚部１７６８とを含む。したがって、チャネル１７０４は、第２のチャネル部（図示せず）に対してほぼ直角に配向され、脚部１７６８を受け入れるように構成された対応する追加のチャネル部（図示せず）を有する。脚部１７６８は、第１および第２のウェイト１３４４、１３５６と実質的に同じである第３のウェイト１７７２を含む。さらに、第３のウェイト１７７２は、第１および第２のウェイト１３４４、１３５６が本体１３２８に取り外し可能に結合するのと同じ方法で、脚部１７６８に取り外し可能に結合する。
【０１４２】
調整可能な加重システム１３００、１４００、１５００、１６００、１７００の動作は実質的に同様であり、したがって、動作は調整可能な加重システム１３００に関連して説明される。同じステップが、加重システム１４００、１５００、１６００、１７００の他の実施形態にも当てはまる。
【０１４３】
ユーザは、チャネル１３０４内に配置されたそれぞれの穴１３６０から締結具（図示せず）を外すことによって、チャネル１３２４から部材１３２４を取り外すことができる。チャネル１３０４から取り外されると、ユーザは、本体１３２８から１つまたは複数のウェイト１３４４、１３５６を外す（または別の方法で取り外す）ことができる。それぞれのウェイト１３４４、１３５６を取り外すために、ユーザは、位置合わせされた開口部１３５２ａ、１３４０、１３５２ｂから締結具（図示せず）を外す。それぞれのウェイト１３４４、１３５６は、それから本体１３２８から自由に外れる。次いで、ユーザは、本体１３２８またはウェイト１３４４、１３５６を、異なる質量（例えば、より軽いまたはより重い）を有する別のものと交換して、ゴルフクラブヘッド１０の重量特性を変えることができる。次いで、異なる質量を有する本体１３２８および／またはウェイト１３４４、１３５６を再係合（または再取り付け）することができる。より具体的には、ウェイト１３４４、１３５６は、本体１３２８の一部（例えば、第１の端部１３３２、第２の端部１３３６など）をスライド可能に受け入れ、開口部１３５２ａ、１３４０、１３５２ｂを整列させる。開口部１３５２ａ、１３４０、１３５２ｂが整列すると、締結具（図示せず）を開口部１３５２ａ、１３４０、１３５２ｂを通して再挿入することができる。次いで、部材１３２４をチャネル１３０４内に位置決め（または再位置決め）することができ、各締結具（図示せず）をチャネル１３０４内のそれぞれの穴１３６０と係合（または再係合）させることができる。上記の動作は、ウェイト１３４４、１３５６の取り外しだけでなく、３つのウェイト１７４４、１７５６、１７７２を有する実施形態にも適用されることを理解されたい。
【０１４４】
本体１３２８および／またはウェイト１３４４、１３５６（またはウェイト１７４４、１７５６、１７７２）のうちの１つまたは複数を変更することによって、重心５８を調整（または変更）することができる。例えば、重心５８を調整（または移動）することができる距離は、０．０１インチから０．５０インチの範囲内とすることができ、その結果、ボール軌道の変化は０．４６ヤードから２３ヤードとなる。他の実施形態では、クラブヘッドの重心５８は、０．０５０インチから０．２００インチの範囲で調整（または移動）することができ、その結果、ボール軌道の変化は２．３ヤードから９．２ヤードとなる。
【０１４５】
図２３〜図２４を参照すると、調整可能な加重システム１８００の一実施形態が示されている。システム１８００は、様々な構成で複数のウェイトを受け入れるように構成された単一のポートまたはチャネルまたは溝状トラック１８０４を含む。チャネル１８０４は、ソール３０の一部に配置された弓形または湾曲チャネル１８０４である。言い換えれば、チャネル１８０４は、レール７４に近接してクラブヘッド１０の後部４２に向かって配置されるか、またはフェースプレート３４よりもクラブヘッド１０の後部４２に近く配置される。他の実施形態では、チャネル１８０４は、スカート７４に、スカート７４とソール３０の両方に、および／またはクラブヘッド１０の他の任意の適切な場所に配置することができる。チャネル１８０４は概ね弓形の形状を有するように示されているが、他の実施形態では、チャネル１８０４は任意の形状をとることができる（例えば、直線状、幾何学的形状など）。
【０１４６】
図２４に示すように、チャネル１８０４は、第１のチャネル部１８０８、第２のチャネル部１８１２、および第３のチャネル部１８１６を含む。チャネル部１８０８、１８１２、１８１６は、チャネル１８０４（またはチャネル１８０４の一部）を集合的に画定することができる。第２のチャネル部１８１２は、第１のチャネル部１８０８と第３のチャネル部１８１６との間に配置されている。第２のチャネル部１８１２は湾曲したまたは弓形の形状を含み、一方、第１および第３のチャネル部分１８０８、１８１６は概してまっすぐな形状である。したがって、チャネル１８０４は、弓形または湾曲形状を有する部分を有するように示されている。他の実施形態では、チャネル１８０４は任意の適切な形状（例えば、直線状など）を有することができる。チャネル１８０４は、様々なチャネル幅を有するように示されている。より具体的には、チャネル１８０４は、第１のチャネル部１８０８または第３のチャネル部１８１６において、第２のチャネル部１８１２とは異なる幅を有することができる（例えば、第１および第３のチャネル部１８０８、１８１６は、第２のチャネル部１８１２よりも狭く（または広く）なり得る）。他の実施形態では、チャネル１８０４は、チャネルの部１８０８、１８１２、１８１６を通る一定の（または実質的に同じ）幅を有することができる。
【０１４７】
図２３〜図２４を参照すると、調整可能な加重システム１８００はまた、チャネル１８０４によって受け入れられるように構成されている部材１８２４（またはインサート１８２４）を含む。図示の実施形態では、部材１８２４は、チャネル１８０４によって受け入れられるように、チャネル１８０４と相補的な形状を有する。
【０１４８】
図２４に示すように、部材１８２４は本体１８２８を含む。本体１８２８は、第２の端部１８３６の反対側にある第１の端部１８３２を含む。本体１８２８はまた、複数の取り付け点または取り付け位置１８７６を含む。より具体的には、本体１８２８は、（第１の端部１８３２に配置されている）第１の取り付け位置１８７６ａ、（第１と第２の端部１８３２、１８３６の間に配置されている）第２の取り付け位置１８７６ｂ、および（第２の端部１８３６に配置されている）第３の取り付け位置１８７６ｃを含む。図示の実施形態では、第２の取り付け位置１８７６ｂは、第１および第２の端部１８３２、１８３６からほぼ等距離に（または本体１８２８に沿ったほぼ中心位置に）配置されている。他の実施形態では、第２の取り付け位置１８７６ｂは、第１の端部１８３２と第２の端部１８３６の間の任意の位置に配置することができる。さらに、複数の第２の取り付け位置１８７６ｂを、第１の端部１８３２と第２の端部１８３６との間の任意の適切な位置に配置することができる。
【０１４９】
図示の実施形態では、各取り付け位置１８７６は、本体１８２８の他の部分の厚さ（または深さ）よりも小さい厚さ（または深さ）を有する。したがって、各ウェイトは各取り付け位置１８７６で本体１８２８に結合する。図示されるように、各ウェイトは、各取り付け位置１８７６で本体１８２８と係合するようにスライド（またはクリップ）することができる。図２４に示すように、第１のウェイト１８４４は第１の取り付け位置１８７６ａに取り外し可能に結合し、第２のウェイト１８５６は第２の取り付け位置１８７６ｂに取り外し可能に結合し、第３のウェイト１８７２は第３の取り付け位置１８７６ｃに取り外し可能に結合する。係合を容易にするために、各ウェイト１８４４、１８５６、１８７２はチャネル１８８０を含む。より具体的には、各ウェイト１８４４、１８５６、１８７２は、チャネル１８８０を画定するためにＵ字型の構成を有する。チャネル１８８０は、それぞれのウェイト１８４４、１８５６、１８７２を本体１８２８に結合するか、そうでなければ取り付けるために、それぞれの取り付け位置１８７６（すなわち、本体１８２８のより薄い、またはより薄い部分）を受け入れるように構成される。各ウェイト１８４４、１８５６、１８７２はまた、チャネル１８８０の両側に配置されている整列した開口部１８５２ａ、ｂを含むことができる。各取り付け位置１８７６はまた、開口部１８５２ｃを含み得る。各ウェイト１８４４、１８５６、１８７２がそれぞれの取り付け位置１８７６で本体１８２８に結合されているのに応答して、開口部１８５２ａ、ｃ、ｂは整列するように位置決めされる。位置合わせされた開口部１８５２ａ、１８５２ｂ、１８５２ｂは、締結具（例えば、ネジ、ボルトなど）（図示せず）を受け入れることができる。締結具（図示せず）はさらに、部材１８２４をチャネル１８０４内でクラブヘッド１０に結合することができる。より具体的には、締結具（図示せず）は、チャネル１８０４内に配置されたそれぞれの穴（図示せず）内に受け入れられる（または係合）ように構成される。多くの実施形態において、締結具は、クラブヘッド１０の重量分布に有意に寄与しないように、クラブヘッド本体の密度と同等またはそれ未満の密度を含むことができる。
【０１５０】
本体１８２８および各ウェイト１８４４、１８５６、１８７２は幾何学的形状または多角形形状を有する。他の実施形態では、本体１８２８および／または各ウェイト１８４４、１８５６、１８７２は、取り外し可能に取り付けられ（例えば、ウェイト１８４４、１８５６、１８７２）、チャネル１８０４によって受け入れられるのに適した任意の形状を有することができる。
【０１５１】
第１、第２、および第３のウェイト１８４４、１８５６、１８７２は、後述のように、重量分布およびクラブヘッドの重心を調整するために、ボールの軌道および／またはスピンに影響を与えるために、任意の取り付け位置に配置または再配置され得る。
【０１５２】
図２５は、調整可能な加重システム１９００の他の実施形態を示す。調整可能な加重システム１９００は、調整可能な加重システム１８００と同様の構成要素を有し、同様の名称および／または同様の番号は同様の構成要素を識別する。調整可能な加重システム１９００は実質的に調整可能な加重システム１８００と類似しており、相違点のみが本明細書で説明され、同様の構造は「１００」だけ増分された同じ参照番号で参照される（例えば１８０４および１９０４は両方ともチャネルなどを参照）。
【０１５３】
図２５に示すように、調整可能な加重システム１９００は、部材１９２４（またはインサート１９２４）を受け入れるように構成されているチャネル１９０４を含む。部材１９２４は、少なくとも１つの接続部材１９２８（または本体１９２８）および少なくとも１つのウェイト１９４４を含み得る。より具体的には、図２５に示すように、部材１９２４は、複数の接続部材１９２８ａ、１９２８ｂおよび複数のウェイト１９４４、１９５６、１９７２を含む。各ウェイト１９４４、１９５６、１９７２は、少なくとも１つの接続部材１９２８ａ、１９２８ｂと有鍵の関係にある。より具体的には、各ウェイト１９４４、１９５６、１９７２は、部材１９２８を画定するために接続部材１９２８ａ、１９２８ｂのうちの１つと連結するように構成される。連結接続を容易にするために、接続部材１９２８ａ、１９２８ｂはそれぞれ、少なくとも１つのピン１９８４、より具体的には各部材１９２８ａ、１９２８ｂの両端に配置されたピン１９８４を含む。ピン１９８４は、シャフト１９９０によって部材１９２８に接続されているヘッド１９８８を含むことができる。ヘッド１９８８はシャフト１９９０とは異なる厚さを有する。ピン１９８４は、各ウェイト１９４４、１９５６、１９７２の対応する開口部１９９２に受け入れられるように構成されている。各ウェイトは、ウェイト１９４４、１９５６、１９７２の両端に配置された開口部１９９２を含む。これは、部材１９２４を画定するために、ウェイトと接続部材が交互となる鎖状配置を容易にする。より具体的には、第１のウェイト１９４４が第１の接続部材１９２８ａの一端に取り外し可能に接続され、第２のウェイト１９５６の第１の端部が第１の接続部材１９２８ａの反対側の第２の端部に取り外し可能に接続される。第２のウェイト１９５６は、第２の接続部材１９２８ｂの第１の端部に取り外し可能に接続されている。第２の接続部材１９２８ｂは、第１の端部とは反対側の第２のウェイト１９５６の第２の端部に接続する。第３のウェイト１９７２もまた、第２の接続部材１９２８ｂの第１の端部とは反対側の第２の端部に取り外し可能に接続される。したがって、接続部材１９２８ａ、１９２８ｂおよびウェイト１９４４、１９５６、１９７２は、有鍵の連結関係を介して取り外し可能に接続される。接続部材１９２８ａ、１９２８ｂおよびウェイト１９４４、１９５６、１９７２は、本体１８２８およびウェイト１８４４、１８５６、１８７２に関連して上述したように、類似の材料で構成することができ、および／または質量を有することができることを理解されたい。さらに、部材１９２４は、１つまたは複数の締結具（図示せず）によってチャネル１８０４内でクラブヘッド１０に取り外し可能に結合することができる。締結具（図示せず）は、各ウェイト１９４４、１９５６、１９７２の開口部１９５２およびチャネルの穴１９６０が整列するように位置決めされたときに、開口部１９５２と穴１９６０によって受け入れられる（または係合する）ように構成される。
【０１５４】
図２６は、調整可能な加重システム２０００の他の実施形態を示す。調整可能な加重システム２０００は、調整可能な加重システム１８００、１９００と同様の構成要素を有し、同様の名称および／または同様の番号は同様の構成要素を識別する。調整可能な加重システム２０００は調整可能な加重システム１８００と実質的に類似しており、相違点のみが本明細書で説明され、同様の構造は「２００」だけ増分された同じ参照番号で参照される（例えば１８０４および２００４は両方ともチャネルなどを参照）。）
【０１５５】
調節可能な加重システム２０００は、部材２０２４を取り外し可能に受け入れるチャネル２００４を含む。部材２０２４は本体２０２８を含む。複数のウェイト２０４４、２０５６、２０７２は、本体２０２８の異なる位置で本体２０２８に取り外し可能に結合するように構成される。図示のように、本体２０２８は、それぞれがウェイト２０４４、２０５６、２０７２のうちの１つに結合するように構成されている３つの取り付け位置（または縁部）（図示せず）を含む。ウェイト２０４４、２０５６、２０７２は実質的に同じ形状（または幾何学的形状）および／またはサイズであり、それによって各ウェイト２０４４、２０５６、２０７２を取り付け位置（図示せず）のいずれか１つに接続することが可能になる。例えば、各ウェイト２０４４、２０５６、２０７２は、周縁に沿ってチャネル（図示せず）を有することができる。例えば、チャネルは、ウェイト２０４４、２０５６、２０７２の各縁に配置することができ、その結果、チャンネルは、縁によって定義されるような全周を含む縁に沿って配置することができる。これにより、ウェイト２０４４、２０５６、２０７２を再配向して所望の取り付け位置（図示せず）に結合するために要求される向きに合わせることによって、ウェイト２０４４、２０５６、２０７２の適切な縁部を（調整可能な加重システム１９００に関して開示された有鍵の関係などによって）適切な取り付け位置に結合することが可能になる。
【０１５６】
図２７は、調整可能な加重システム２１００の他の実施形態を示す。調整可能な加重システム２１００は、調整可能な加重システム１８００、１９００、２０００と同様の構成要素を有し、同様の名称および／または同様の番号は同様の構成要素を識別する。調整可能な加重システム２１００は調整可能な加重システム２０００と実質的に類似しており、相違点のみが本明細書で説明され、類似の構造は「１００」だけ増分された同じ参照番号で参照される（例えば、２００４および２１０４は両方ともチャネルなどを参照）。
【０１５７】
調節可能な加重システム２１００は、部材２１２４を取り外し可能に受け入れるチャネル２１０４を含む。部材２１２４は本体２１２８を含む。複数のウェイトが、本体２１２８の異なる位置で本体２１２８に取り外し可能に連結されている。本体２１２８は、３つ、４つ、または５つのウェイト取り付け位置を提供するために一般的な「Ｕ字形」を有する。例えば、本体２１２８は、ウェイト２１４４、２１５６、２１７２に対して３つの取り付け位置（図示せず）を含むことができる。本体２１２８はまた、２つの追加のウェイト２１７２ａ、２１７２ｂに対して追加の取り付け位置（図示せず）を追加することができる。ウェイト２１４４、２１５６、２１７２、２１７２ａ、２１７２ｂは、調整可能な加重システム２０００に関連して説明したように、本体２１２８に取り外し可能に連結することができる。さらに、ウェイト２１４４、２１５６、２１７２、２１７２ａ、２１７２ｂは、実質的に同じ形状（または幾何学的形状）および／またはサイズを同じにすることができ、それによって各ウェイト２１４４、２１５６、２１７２、２１７２ａ、２１７２ｂを任意の取り付け位置（図示せず）の１つに接続することができる。他の実施形態では、本体２１２８は、１つ、２つ、３つ、４つ、または５つのウェイト取り付け位置を含むことができ、本明細書に開示される取り付け位置のいずれか１つまたは組合せを含むことができる。
【０１５８】
図２８は、調整可能な加重システム２２００の他の実施形態を示す。調整可能な加重システム２２００は、調整可能な加重システム１８００、１９００、２０００、２１００と同様の構成要素を有し、同様の名称および／または同様の番号は同様の構成要素を識別する。調整可能な加重システム２２００は実質的に調整可能な加重システム２０００と類似しており、相違点のみが本明細書に記載され、同様の構造は「２００」だけ増分された同じ参照番号で参照される（例えば、２００４および２２０４は両方ともチャネルなどを参照）。
【０１５９】
調節可能な加重システム２２００は、部材２２２４を取り外し可能に受け入れるチャネル２２０４を含む。部材２２２４は本体２２２８を含む。複数のウェイトが、本体２２２８の異なる位置で本体２２２８に取り外し可能に連結されている。本体２２２８は、４つ、５つ、または６つのウェイト取り付け位置を提供するために一般的な「Ｏ字形」を有する。例えば、本体２２２８は、ウェイト２２４４、２２５６、２２７２、２２７２ａのための４つの取り付け位置（図示せず）を含むことができる。本体２２２８はまた、２つの追加のウェイト２２７２ｂ、２２７２ｃに対して追加の取り付け位置（図示せず）を追加することができる。ウェイト２２４４、２２５６、２２７２、２２７２ａ、２２７２ｂ、２２７２ｃは、調整可能な加重システム２０００に関連して説明したように、本体２２２８に取り外し可能に連結することができる。さらに、ウェイト２２４４、２２５６、２２７２、２２７２ａ、２２７２ｂ、２２７２ｃは、実質的に同じ形状（または幾何学的形状）および／またはサイズを有することができ、それによって各ウェイト２２４４、２２５６、２２７２、２２７２ａ、２２７２ｂ、２２７２ｃを取り付け位置のいずれか１つ（図示せず）に接続することが可能になる。他の実施形態では、本体２２２８は、１、２、３、４、５、または６つのウェイト取り付け位置を含むことができ、本明細書に開示される取り付け位置のうちの任意の１つまたは組み合わせを含むことができる。
【０１６０】
図２９は、調整可能な加重システム２３００の他の実施形態を示す。調整可能な加重システム２３００は、調整可能な加重システム１８００、１９００、２０００、２１００、２２００と同様の構成要素を有し、同様の名称および／または同様の番号は同様の構成要素を識別する。調整可能な加重システム２３００は実質的に調整可能な加重システム１８００と類似しており、相違点のみが本明細書で説明され、同様の構造は「５００」だけ増分された同じ参照番号で参照される（例えば、１８０４および２３０４は両方ともチャネルなどを参照）。
【０１６１】
調節可能な加重システム２３００は、部材２３２４を取り外し可能に受け入れるチャネル２３０４を含む。部材２３２４は本体２３２８を含む。ウェイト２３４４、２３５６は、本体２３２８の両端で取り外し可能に連結する。部材２３２４は、クラブヘッド１０のフェースプレート３４とバック４２の両方と交差する平面内に延びるように配向されている。したがって、本体２３２８に対するウェイト２３４４、２３５６の取り外しおよび再調整は、クラブヘッド１０によって打たれたゴルフボールのスピン速度（例えば、バックスピン）に影響を及ぼし得る。
【０１６２】
本体２３２８およびウェイト２３４４、２３５６は、本体１８２８およびウェイト１８４４、１８５６に関連して上述したように、類似の材料で構成することができ、および／または質量を有することができることを理解されたい。さらに、部材２３２４は、１つまたは複数の締結具（図示せず）によって、チャネル２３０４内でクラブヘッド１０に取り外し可能に結合することができる。締結具（図示せず）は、各ウェイト２３４４、２３５６の開口部２３５２およびチャネル２３０４の穴（図示せず）が整列するように位置決めされたときに、開口部２３５２と穴（図示せず）によって受け入れられる（または係合する）ように構成される。
【０１６３】
調整可能な加重システム１８００、１９００、２０００、２１００、２２００、２３００の動作は実質的に類似しており、したがって、調整可能な加重システム１８００に関連して動作を説明する。同じ手順が加重システム１９００、２０００、２１００、２２００、２３００の他の実施形態他にも適用される。
【０１６４】
ユーザは、チャネル１８０４内に配置されたそれぞれの穴（図示せず）から締結具（図示せず）を外すことによって、部材１８０４をチャネル１８０４から取り外すことができる。チャネル１８０４から取り外されると、ユーザは、本体１８２８から１つまたは複数のウェイト１８４４、１８５６、１８７２を外す（または別の方法で取り外す）ことができる。それぞれのウェイト１８４４、１８５６、１８７２を取り外すために、ユーザは、整列した開口部１８５２ａ、１８５２ｃ、１８５２ｂから締結具（図示せず）を外す。次に、それぞれのウェイト１８４４、１８５６、１８７２は、本体１８２８から（例えば、スライドなどによって）自由に外れることができる。次いで、ユーザは、本体１８２８または１つ以上のウェイト１８４４、１８５６、１８７２を異なる質量（例えば、より軽いまたはより重い）を有する別のものと交換して、ゴルフクラブヘッド１０の重量特性を変えることができる。次いで、異なる質量を有する本体１８２８および／またはウェイト１８４４、１８５６、１８７２を再係合（または再取り付け）することができる。より具体的には、ウェイト１８４４、１８５６、１８７２は、取り付け点１８７６で本体１３２８の一部をスライド可能に受け入れる。次いで、開口部１８５２ａ、１８５２ｃ、１８５２ｂを整列させることができ、締結具（図示せず）を開口部１８５２ａ、１８５２ｃ、１８５２ｂを通して再挿入することができる。次いで、部材１８２４をチャネル１８０４内に位置決め（または再位置決め）することができ、各締結具（図示せず）をチャネル１３０４内のそれぞれの穴（図示せず）と係合（または再係合）させることができる。上記の動作は、ウェイト１８４４、１８５６、１８７２の取り外しだけでなく、３つより多いウェイト（例えば、３、４、５、または６以上の重みなど）を有する実施形態にも適用されることを理解されたい。
【０１６５】
本体１８２８および／またはウェイト１８４４、１８５６、１８７２のうちの１つまたは複数を変更することによって、重心５８を調整（または変更）することができる。例えば、重心５８を調整（または移動）することができる距離は、０．０１インチから０．５０インチの範囲内とすることができ、その結果、ボール軌道の変化は０．４６ヤードから２３ヤードとなる。他の実施形態では、クラブヘッドの重心５８は、０．０５０インチから０．２００インチの範囲で調整（または移動）することができ、その結果、ボール軌道の変化は２．３ヤードから９．２ヤードとなる。
【０１６６】
Ｃ．調整可能な加重システム．
図３０〜３３は、１つまたは複数のウェイトを、本明細書に開示される調整可能な加重システム７００、８００、９００、１０００、１１００、１３００、１４００、１５００、１６００、１７００、１８００、１９００、２０００、２１００、２２００、２３００のインサートまたは部材に結合するための例示的な手段を示す。図３０〜図３３を参照して説明される部材またはインサートへのウェイトの結合機構は、本明細書に記載の調整可能な加重システム７００、８００、９００、１０００、１１００、１３００、１４００、１５００、１６００、１７００、１８００、１９００、２０００、２１００、２２００、２３００のいずれかと共に使用することができる。さらに、ウェイトを、図３０〜図３３を参照して説明される部材またはインサートへのウェイトの結合機構は、調整可能な加重システム７００、８００、９００、１０００、１１００、１３００、１４００、１５００、１６００、１７００、１８００、１９００、２０００、２１００、２２００、２３００に関して説明した機構に加えて、またはその代わりに、使用することができる。
【０１６７】
図３０を参照すると、いくつかの実施形態では、インサートまたは部材２５０８は、１つまたは複数のウェイト２５３２を部材２５０８に仮結合するために、１つまたは複数のウェイト２５３２上の突出部２５２８を受け入れることができる穴２５４０を備えることができる。図示の実施形態では、穴２５４０および突出部２５２８は円筒形である。他の実施形態では、穴２５４０および突出部２５２８は任意の対応する形状を有することができる。いくつかの実施形態では、１つまたは複数のウェイト２５３２は、調節可能な加重システムがクラブヘッドのチャネル内に位置決めされたときに、ウェイトを部材にさらに固定するために、部材の溝部２５４６内または上方に位置決め可能なリップ２５４４をさらに含むことができる。
【０１６８】
図３１を参照すると、いくつかの実施形態では、インサートまたは部材２６０８は、第１の側壁２６１２、第２の側壁２６１４、および後壁２６１６によって画定される１つ以上の空隙２６１０を含み得る。１つ以上の空隙２６１０は、１つ以上のウェイト２６３２を受け入れることができる。図示の実施形態では、部材の後壁２６１６は、ウェイト２６３２上の突出部（図示せず）を受け入れることができる穴２６４０を有する。さらに、図示の実施形態では、部材２６０８の第１の側壁２６１２は、ウェイト２６３２上のチャネル２６４６を通して位置決め可能なリブまたはレール２６４４を備える。調整可能な加重システムの穴および突出部、ならびにリブおよびチャネルは、ウェイト２６３２を部材２６０８に仮結合する。
【０１６９】
図３０〜図３１を参照すると、調節可能な加重システムは、１つまたは複数のウェイト２５３２、２６３２の穴２５４８、２６４８を通して位置決め可能なねじ付き締結具（図示せず）によってチャネル内に固定されている。他の実施形態では、調節可能な加重システムは、部材の１つ以上の穴を通って位置決め可能な１つ以上のねじ付き締結具によってチャネル内に固定することができる。さらに他の実施形態では、他の機構を使用して調整可能な加重システムをチャネル内に固定することができる。
【０１７０】
図３２を参照すると、いくつかの実施形態では、インサートまたは部材２７０８は、第１の側壁２７１２、第２の側壁２７１４、および上壁２７１６によって画定される１つまたは複数の空隙２７１０を含むことができる。１つ以上の空隙２７１０は、１つ以上のウェイト２７３２を受け入れることができる。図示の実施形態では、第１および第２の側壁２７１２、２７１４は、空隙の幅が開放底部付近よりも上部壁２７１６付近で大きくなるように先細りになっている。ウェイト２７３２は、部材２７０８の空隙２７１０の先細りの第１および第２の側壁２７１２、２７１４に対応する先細りの側壁２７３４を備える。部材の空隙およびウェイトの先細りの壁構成は、ウェイト２７３４を部材２７０８の空隙２７１０内に暫定的に固定し、調整可能な加重システムがクラブヘッドから取り外されたときにウェイト２７３４が部材２７０８から外れるのを防ぐ。さらに、図示の実施形態では、部材２７０８は、調整可能な加重システムをクラブヘッドに結合するためのねじ付き締結具を受け入れることができる穴２７４８を含む。
【０１７１】
図３３を参照すると、いくつかの実施形態では、インサートまたは部材２８０８は、第１の側壁２８１２、第２の側壁２８１４、および上壁２８１６によって画定される１つまたは複数の空隙２８１０を含むことができる。１つ以上の空隙２８１０は、１つ以上のウェイト２８３２を受け入れることができる。図示の実施形態では、第１および第２の側壁２８１２、２８１４は、空隙の幅が開放底部付近よりも上部壁２８１６付近で大きくなるように先細りになっている。ウェイト２８３２は、部材２８０８の空隙２８１０の先細りの第１および第２の側壁２８１２、２８１４に対応する先細りの側壁２８３４を含む。部材の空隙およびウェイトの先細りの壁構成は、ウェイト２８３４を部材２８０８の空隙２８１０内に仮固定し、調整可能な加重システムがクラブヘッドから取り外されたときにウェイト２８３４が部材２８０８から外れるのを防ぐ。さらに、図示の実施形態では、部材２８０８は、ウェイト２８３４上の穴２８５０に対応する穴２８４８を含む。穴２８４８、２８５０は、調整可能な加重システムをクラブヘッドに結合するためのねじ付き締結具を受け入れることができる。
【０１７２】
実施例１
一例によれば、図２３および図２４に示される調整可能な加重システム１８００を有するゴルフクラブヘッド１０は、チャネル１８０４によって受け入れられるように構成された部材１８２４を備える。部材１８２４は、本体１８２８と、第１の取り付け位置１８７６ａ、第２の取り付け位置１８７６ｂ、および第３の取り付け位置１８７６ｃを含む複数の取り付け位置１８７６と、を含む。複数の取り付け位置は、様々な構成で、第１のウェイト１８４４、第２のウェイト１８５６、および第３のウェイト１８７２を含む複数のウェイトを受け入れるように構成される。
【０１７３】
例示的な調整可能な加重システム１８００の第１のウェイト１８４４は１５グラムの質量を有し、例示的な調整可能な加重システム１８００の第２のウェイト１８５６は０．５グラムの質量を有し、そして例示的な調整可能な加重システム１８００の第３のウェイト１８７２は０．５グラムの質量を有する。
【０１７４】
調整可能な加重システム１８００がチャネル１８０４内に配置されるときに、第１のウェイトは、クラブヘッドのトウの近くの第１の取り付け位置、クラブヘッドの中心の近くの第２の取り付け位置、またはクラブヘッドのヒールの近くの第３の取り付け位置に配置され得る。以下の表１を参照すると、第１のウェイトが第１、第２、または第３の取り付け位置に配置されたときに、第１のウェイトの重心ＷＣＧは、クラブヘッド１０の後部周囲７４から０．３４２インチから０．６４１インチの距離Ｄ１に位置する。さらに、第１のウェイトが第１、第２、または第３の取り付け位置に配置されたときに、第１のウェイトの重心ＷＣＧは、打撃フェース３４の幾何学的中心１４０から２．９１２インチから３．９２６インチの距離Ｄ２に配置される。
【０１７５】
以下の表１をさらに参照すると、クラブヘッド１０は、第１のウェイトが第１、第２、または第３の取り付け位置に配置されたときに、１．６２６インチから１．８１７インチの間のヘッドＣＧ深さ１０１３０、およびヘッド深さ平面１０１２０の上に０．２０６インチから０．２１０インチのヘッドＣＧ高さ１０１３２を含む。例示的なクラブヘッド１０はさらに、第１のウェイトが第１、第２、または第３の取り付け位置に配置されたときに、３，６６５から４，０５２ｇ・ｃｍ２の間のｘ軸周りの慣性モーメントＩｘｘ、５，４１９から５，７１０ｇ・ｃｍ２の間のｙ軸周りの慣性モーメントＩｙｙ、９，７２２〜１，１０２６ｇ・ｃｍ２の間のホーゼル軸周りの慣性モーメントＩｈｈを含む。例示的なクラブヘッド１０のクラブヘッドＣＧ周りの合成慣性モーメント（すなわち、ｘ軸を中心とした慣性モーメントとｙ軸を中心とした慣性モーメントの和）は、第１のウェイトが第１、第２、または第３の取り付け位置に配置されたときに、９，０８４から９，６６４ｇ・ｃｍ２の間である。例示的なクラブヘッド１０のクラブヘッドＣＧとホーゼル軸の周りの合成慣性モーメント（すなわち、ｘ軸の周りの慣性モーメント、ｙ軸の周りの慣性モーメント、およびホーゼル軸の周りの慣性モーメントの合計）は、第１のウェイトが第１、第２、または第３の取り付け位置に配置されたときに、１８，８０６から２０，６９０ｇ・ｃｍ２の間である。
【０１７６】
以下の表１をさらに参照すると、調整可能な加重システム１８００を有する例示的なクラブヘッドでは、第１のウェイトが第１、第２、または第３の取り付け位置に配置されたときに、第１のウェイトの質量に対するクラブヘッドＣＧ深さである深さ対質量比が、０．１０８インチから０．１２１インチの間である。さらに、調整可能な加重システム１８００を有する例示的なクラブヘッドでは、第１のウェイトの質量に対するヘッドＣＧ周りのクラブヘッドの合成慣性モーメントである第１の慣性対質量比が、６０６〜６４４ｃｍ２である。さらにまた、調整可能な加重システム１８００を有する例示的なクラブヘッドでは、第１のウェイトの質量に対するヘッドＣＧの最大シフトであるヘッドＣＧ対質量比が、０．０１５インチ／グラムである。したがって、例示的なクラブヘッド１０の調整可能な加重システム１８００は、かなりの重量構造を必要とする大きくて重い重量を使用することなく、ユーザにより、ヘッドＣＧ深さ、慣性モーメント、およびヘッドＣＧの移動を最大化する。
【表１】
2019519324.tif 000008
【０１７７】
第１、第２、および第３の取り付け位置の間でウェイトを移動させると、クラブヘッドの重心において最大０．２インチのシフトが生じる。例示的なクラブヘッド６７１０の重心の最大シフトは、最大９．３ヤード（すなわち、第１のウェイトを第１の取り付け位置から第２の取り付け位置へ、または第２の取り付け位置から第１の取り付け位置へシフトするとき）の総軌道変化をもたらす。したがって、ウェイトを第３の取り付け位置から第２の取り付け位置へ移動させることは、ゴルフボールの軌道を４．６ヤード変更してスライスを修正するかまたはドローを生じさせることができる。さらに、第３の取り付け位置から第１の取り付け位置へ重量を移動させると、ゴルフボールの軌道を４．６ヤード変更してフックを修正するかまたはフェードを生じさせることができる。
【０１７８】
第１条項：ゴルフクラブヘッドであって、ソールと反対側のクラウン、ヒール端と反対側のトウ端、後端及びホーゼルを有しており、チャネルが形成されているクラブ本体と、調整可能な加重システムと、を備えており、前記調整可能な加重システムは、前記チャネルによって受け入れられるとともに前記クラブ本体に取り外し可能に結合するように構成されている部材であって、第１端部と第２端部を有する部材本体を有し、さらに、前記第１端部に配置されている第１の取り付け位置と、前記第１端部と前記第２端部の間に配置されている第２の取り付け位置と、前記第２端部に配置されている第３の取り付け位置と、を含む、部材と、前記部材本体の前記第１の取り付け位置に取り外し可能に結合するように構成されており、第１質量を有する、第１のウェイトと、前記部材本体の前記第２の取り付け位置に取り外し可能に結合するように構成されており、前記第１質量よりも小さい第２質量を有する、第２のウェイトと、前記部材本体の前記第３の取り付け位置に取り外し可能に結合するように構成されており、前記第１質量よりも小さい第３質量を有する、第３のウェイトと、を有しており、前記第１のウェイトと前記第２のウェイトと前記第３のウェイトは、前記クラブヘッドの重心を変化させるために、前記部材から取り外して再配置可能である、ゴルフクラブヘッド。
【０１７９】
第２条項：前記第１のウェイトは、６グラムから２０グラムの間の質量を有しており、前記第２のウェイトと前記第３のウェイトは、０．２５グラムから４グラムの間の質量を有している、第１条項に記載のゴルフクラブヘッド。
【０１８０】
第３条項：前記クラブヘッドはさらに、１．６インチよりも大きいクラブヘッド重心深さを有する、第２条項に記載のゴルフクラブヘッド。
【０１８１】
第４条項：前記クラブヘッドはさらに、０．０６０インチ／グラムよりも大きい、前記第１のウェイトの質量に対する前記クラブヘッドの重心深さである深さ対質量比を有する、第３条項に記載のゴルフクラブヘッド。
【０１８２】
第５条項：前記チャネルは、０．１インチから０．５インチの間の高さを有する、第１条項に記載のゴルフクラブヘッド。
【０１８３】
第６条項：前記チャネルの前記高さは、前記チャネルの断面積が変化するように、前記クラブヘッドの前記ヒール端の近くから前記クラブヘッドの前記トウ端の近くに向けて変化する、第５条項に記載のゴルフクラブヘッド。
【０１８４】
第７条項：前記ウェイトのそれぞれは、前記クラブヘッドの周囲の０．５０インチ以内に配置されたウェイト重心を有する、条項１に記載のゴルフクラブヘッド。
【０１８５】
第８条項：前記第１のウェイトが第１の開口部を含み、前記部材本体の前記第１の取り付け位置が前記第１の開口部と整列した第２の開口部を含み、整列した前記第１の開口部と前記第２の開口部が第１の締結具を受け入れるように構成されており、前記第２のウェイトが第３の開口部を含み、前記部材本体の前記第２の取り付け位置が前記第３の開口部と整列した第４の開口部を含み、整列した前記第３の開口部と前記第４の開口部が第２の締結具を受け入れるように構成されており、前記第３のウェイトが第５の開口部を含み、前記部材本体の前記第３の取り付け位置が前記第５の開口部と整列した第６の開口部を含み、整列した前記第５の開口部と前記第６の開口部が第３の締結具を受け入れるように構成されている、第１条項に記載のゴルフクラブヘッド。
【０１８６】
第９条項：前記チャネルが、第１の穴、第２の穴及び第３の穴を含み、前記部材を前記クラブ本体に固定するために、前記第１の穴が前記第１の締結具を受け入れるように構成されており、前記第２の穴が前記第２の締結具を受け入れるように構成されており、前記第３の穴が前記第３の締結具を受け入れるように構成されており、前記第１の締結具と前記第２の締結具と前記第３の締結具は、前記クラブヘッド本体と同等または小さい密度を有する、第８条項に記載のゴルフクラブヘッド。
【０１８７】
第１０条項：クラウンからソールへの慣性モーメントとヒールからトウへの慣性モーメントとの合計として定義される、前記クラブヘッドの重心周りの前記クラブヘッドの合成慣性モーメントが、８，０００ｇ・ｃｍ２より大きい、第２条項に記載のゴルフクラブヘッド。
【０１８８】
第１１条項：前記第１のウェイトの質量に対する前記クラブヘッドの重心周りの前記クラブヘッドの合成慣性モーメントの比が、４００ｃｍ２よりも大きい、第１０条項に記載のゴルフクラブヘッド。
【０１８９】
第１２条項：ゴルフクラブヘッドであって、ソールと反対側のクラウン、ヒール端と反対側のトウ端、後端及びホーゼルを有しており、チャネルが形成されているクラブ本体と、調整可能な加重システムと、を備えており、前記調整可能な加重システムは、前記チャネルによって受け入れられるとともに前記クラブ本体に取り外し可能に結合するように構成されている部材であって、第１端部と第２端部を有する部材本体を有する、部材と、前記部材本体の前記第１端部に取り外し可能に結合するように構成されており、第１質量を有する、第１のウェイトと、前記部材本体の前記第２端部に取り外し可能に結合するように構成されており、前記第１質量よりも小さい第２質量を有する、第２のウェイトと、を有しており、前記第１のウェイトと前記第２のウェイトは、前記クラブヘッドの重心を変化させるために、前記部材から取り外して再配置可能である、ゴルフクラブヘッド。
【０１９０】
第１３条項：前記第１のウェイトが第１の開口部を含み、前記本体の前記第１端部が前記第１の開口部と整列した第２の開口部を含み、整列した前記第１の開口部と前記第２の開口部が締結具を受け入れるように構成されている、第１２条項に記載のゴルフクラブヘッド。
【０１９１】
第１４条項：前記チャネルが、前記部材を前記クラブ本体の前記チャネル内に固定するために、前記締結具を受け入れるように構成されている穴を含む、第１３条項に記載のゴルフクラブヘッド。
【０１９２】
第１５条項：前記締結具が第１の締結具であり、前記第２のウェイトが第３の開口部を含み、前記本体の前記第２端部が前記第３の開口部と整列した第４の開口部を含み、整列した前記第３の開口部と前記第４の開口部が第２の締結具を受け入れるように構成されている、第１３条項に記載のゴルフクラブヘッド。
【０１９３】
第１６条項：前記チャネルが、第１の穴及び第２の穴を含み、前記部材を前記クラブ本体に固定するために、前記第１の穴が前記第１の締結具を受け入れるように構成されており、前記第２の穴が前記第２の締結具を受け入れるように構成されている、第１５条項に記載のゴルフクラブヘッド。
【０１９４】
第１７条項：ゴルフクラブヘッドであって、ソールと反対側のクラウン、ヒール端と反対側のトウ端、後端及びホーゼルを有するクラブ本体と、前記ソールに配置されているフェース角調整システムと、を備えており、前記フェース角調整システムは、単一のチャネルと、前記チャネルによって取り外し可能に受け入れられている、部材と、を有しており、前記部材は、第１の端部部材と第２の端部部材とを含む部材本体、を有しており、前記部材は、前記ゴルフクラブヘッドの静止フェース角を調整するために前記チャネル内に再配置するように構成されている、ゴルフクラブヘッド。
【０１９５】
第１８条項：前記部材は、本体を有しており、前記第１の端部部材が、前記本体に結合するとともに前記本体に対して回転するように構成されており、前記第２の端部部材が、前記本体に結合するとともに前記本体に対して回転するように構成されている、第１７条項に記載のゴルフクラブヘッド。
【０１９６】
第１９条項：前記第１の端部部材と前記第２の端部部材は、第１の構成、第２の構成及び第３の構成の間で前記本体に対して回転するように構成されており、前記第１の構成では、前記第１の端部部材が前記チャネルから延出し、前記第２の端部部材が前記チャネルから延出せず、前記第２の構成では、前記第２の端部部材が前記チャネルから延出し、前記第１の端部部材が前記チャネルから延出せず、前記第３の構成では、前記第１の端部部材と前記第２の端部部材が前記チャネルから延出しない、第１８条項に記載のゴルフクラブヘッド。
【０１９７】
第２０条項：前記第の端部部材と前記第２の端部部材のそれぞれは、第１の側面と第２の側面を含み、前記第１の側面は前記第２の側面よりも長い、第１７条項に記載のゴルフクラブヘッド。
【０１９８】
１つまたは複数の請求された要素の置き換えは、再構成を構成するものであり、修復は構成しない。さらに、利益、他の利点、および問題に対する解決法を、特定の実施形態に関して上記に説明した。しかし、利益、利点、問題に対する解決法、および任意の利益、利点、または解決法を生じさせ得るかまたはそれらをより明白にし得るいずれの要素（１つまたは複数）も、そのような利益、利点、解決法、または要素が請求項のいずれかまたはすべてにおいて明示的に述べられていない限り、そのような請求項の重要、必要、または不可欠な特徴または要素として解釈すべきではない。
【０１９９】
ゴルフのルールは時々変更され得るため（例えば、ゴルフの標準的組織および／または管理機関、例えば、全米ゴルフ協会（ＵＳＧＡ）、全英ゴルフ協会（Ｒ＆Ａ）等によって、新たな規則が採用され得るか、または古い規則が削除または変更されてもよい）、本明細書に記載の装置、方法、および製造物品に関連するゴルフ器具は、任意の特定の時期におけるゴルフのルールに適合する場合も、適合しない場合もある。したがって、本明細書に記載の装置、方法、および製造物品に関連するゴルフ器具は、適合または非適合ゴルフ器具として宣伝され、市場に出され、かつ／または販売される場合がある。本明細書に記載の装置、方法、および製造物品はこの点で限定されない。
【０２００】
上記実施例は、ウッド型ゴルフクラブとの関連で説明され得るが、本明細書に記載の装置、方法、および製造物品は、他の種類のゴルフクラブ、例えば、ドライバーウッド型ゴルフクラブ、フェアウェイウッド型ゴルフクラブ、ハイブリッド型ゴルフクラブ、アイアン型ゴルフクラブ、ウェッジ型ゴルフクラブ、またはパター型ゴルフクラブにも適用できる。あるいは、本明細書に記載の装置、方法、および製造物品は、他の種類のスポーツ器具、例えば、ホッケー用スティック、テニスラケット、釣竿、スキーポール等にも適用できる。
【０２０１】
さらに、本明細書に開示される実施形態および制限は、実施形態および／または制限が（１）請求項に明示的に特許請求されておらず、（２）均等論下で請求項の明白な要素および／または制限の潜在的な等価物である場合に、公有の原則下で公衆に供されない。
【０２０２】
本開示のさまざまな特徴および利点は以下の請求項に記載される。
【図１】
2019519324.tif 000009
【図２】
2019519324.tif 000010
【図３Ａ】
2019519324.tif 000011
【図３Ｂ】
2019519324.tif 000012
【図４Ａ】
2019519324.tif 000013
【図４Ｂ】
2019519324.tif 000014
【図５】
2019519324.tif 000015
【図６】
2019519324.tif 000016
【図７】
2019519324.tif 000017
【図８】
2019519324.tif 000018
【図９】
2019519324.tif 000019
【図１０】
2019519324.tif 000020
【図１１】
2019519324.tif 000021
【図１２】
2019519324.tif 000022
【図１３】
2019519324.tif 000023
【図１４】
2019519324.tif 000024
【図１５】
2019519324.tif 000025
【図１６】
2019519324.tif 000026
【図１７】
2019519324.tif 000027
【図１８】
2019519324.tif 000028
【図１９】
2019519324.tif 000029
【図２０】
2019519324.tif 000030
【図２１】
2019519324.tif 000031
【図２２】
2019519324.tif 000032
【図２３】
2019519324.tif 000033
【図２４】
2019519324.tif 000034
【図２５】
2019519324.tif 000035
【図２６】
2019519324.tif 000036
【図２７】
2019519324.tif 000037
【図２８】
2019519324.tif 000038
【図２９】
2019519324.tif 000039
【図３０】
2019519324.tif 000040
【図３１】
2019519324.tif 000041
【図３２】
2019519324.tif 000042
【図３３】
2019519324.tif 000043
【国際調査報告】
2019519324.tif 000044
2019519324.tif 000045
2019519324.tif 000046